(57)【要約】      （修正有）【課題】表示装置がＰＳＲ（Ｐａｎｅｌ  Ｓｅｌｆ  Ｒｅｆｒｅｓｈ）モードで動作しているときも接触位置の検出精度の低下を防止できる入力装置を提供する。【解決手段】第１のモードと第２のモードのいずれかで動作するように構成されるとともに現在の動作モードを通知するモード信号を生成するように構成された表示装置１００に備えられ、使用者の接触位置を検出する入力装置であって、複数の駆動電極１１と、ＰＳＲモード信号に基づき表示装置１００の動作モードを判断し、動作モードにもとづいて生成した駆動信号を駆動電極１１に印加するタッチコントローラ１４と、を備える。【選択図】図１
2015111400.tif 000002
【特許請求の範囲】
【請求項１】
第１のフレーム周波数で動作する第１のモードと、前記第１のフレーム周波数よりも低い第２のフレーム周波数で動作する第２のモードとを含む複数の動作モードのいずれかの動作モードで動作するように構成されるとともに前記動作モードを通知するモード信号を生成するように構成された表示装置であって、
複数の走査信号線と、
使用者の接触位置を検出するように構成された入力装置と、を備え、
前記入力装置は、
複数の駆動電極と、
前記駆動電極に交差するように配置された複数の検知電極と、
前記検知電極に接続され、前記検知電極から検出信号を検出して前記接触位置を検出するように構成されるとともに、前記モード信号に基づき前記表示装置の前記動作モードを判断し、前記判断の結果にもとづき駆動信号を生成して前記駆動電極に印加するように構成されたタッチコントローラと、
を備えた表示装置。
【請求項２】
前記表示装置は、
前記動作モードに応じて発生する第１のタイミング信号と１フレームに１回の割合で発生する第２のタイミング信号とにもとづき走査信号が生成されるように構成されるとともに、前記第２のモードで動作するときには、走査信号線に走査信号が印加されない期間であるＶブランク期間に前記第１のタイミング信号が生成されないように構成されており、
前記タッチコントローラは、
前記モード信号に基づき前記表示装置が前記第１のモードで動作すると判断したときは、前記第１のタイミング信号にもとづき前記駆動信号を生成し、前記モード信号に基づき前記表示装置が前記第２のモードで動作すると判断したときは、前記第１のタイミング信号にもとづき前記駆動信号を生成するとともに前記第１のタイミング信号が生成されない前記Ｖブランク期間においても前記駆動信号を生成するように構成された
請求項１に記載の表示装置。
【請求項３】
前記表示装置は、
走査信号線に走査信号が印加されない期間であるＨブランク期間を１水平走査期間に設けて動作するように構成され、
前記タッチコントローラは、
前記表示装置が前記第１のモードで動作すると判断したときは前記Ｈブランク期間にのみ前記駆動信号を生成し、前記表示装置が前記第２のモードで動作すると判断したときは前記Ｈブランク期間および前記Ｖブランク期間に前記駆動信号を生成するように構成された
請求項２に記載の表示装置。
【請求項４】
前記タッチコントローラは、
Ｖブランク期間にのみ前記駆動信号を生成し、
前記表示装置が前記第２のモードで動作するときの前記Ｖブランク期間では、前記表示装置が前記第１のモードで動作するときの前記Ｖブランク期間よりも、多くの前記駆動信号を生成するように構成された
請求項１に記載の表示装置。
【請求項５】
前記表示装置は、
所定の数の走査信号線に走査信号が印加される毎に休止期間を設けて動作するように構成されており、
前記タッチコントローラは、
前記モード信号に基づき前記表示装置が前記第１のモードで動作すると判断したときは前記休止期間にのみ前記駆動信号を生成し、前記モード信号に基づき前記表示装置が前記第２のモードで動作すると判断したときは前記休止期間およびＶブランク期間に前記駆動信号を生成するように構成された
請求項１に記載の表示装置。
【請求項６】
前記タッチコントローラは、
前記モード信号に基づき、前記表示装置が前記第２のモードで動作すると判断したときには、１水平走査期間の間に、前記表示装置が前記第１のモードで動作するときの１水平走査期間よりも多くの数の前記駆動信号を生成するように構成された
請求項１に記載の表示装置。
【請求項７】
前記タッチコントローラは、
前記表示装置が前記第１のモードおよび前記第２のモードのいずれで動作するときもＨブランク期間にのみ前記駆動信号を生成するように構成された
請求項６に記載の表示装置。
【請求項８】
前記タッチコントローラは、
前記モード信号に基づき前記表示装置が前記第１のモードで動作すると判断したときはＶブランク期間にのみ前記駆動信号を生成し、前記モード信号に基づき前記表示装置が前記第２のモードで動作すると判断したときはＨブランク期間および前記Ｖブランク期間に前記駆動信号を生成するように構成された
請求項１に記載の表示装置。
【請求項９】
前記表示装置は、
所定の数の走査信号線に走査信号が印加される毎に休止期間を設けて動作するように構成されており、
前記タッチコントローラは、
前記モード信号に基づき前記表示装置が前記第１のモードで動作すると判断したときは前記休止期間にのみ前記駆動信号を生成し、前記モード信号に基づき前記表示装置が前記第２のモードで動作すると判断したときは前記休止期間およびＨブランク期間に前記駆動信号を生成するように構成された
請求項１に記載の表示装置。
【請求項１０】
前記表示装置は、
前記第２のモードでは走査信号を走査信号線に順次印加しないように構成されており、
前記タッチコントローラは、
前記モード信号に基づき前記表示装置が前記第２のモードで動作すると判断したときには、１水平走査期間の間に、前記表示装置が前記第１のモードで動作するときの１水平走査期間よりも多くの数の前記駆動信号を生成するように構成された
請求項１に記載の表示装置。
【請求項１１】
前記タッチコントローラは、
前記表示装置が前記第１のモードおよび前記第２のモードのいずれで動作するときもＨブランク期間にのみ前記駆動信号を生成するように構成された
請求項１０に記載の表示装置。
【請求項１２】
前記表示装置は、
前記第２のモードでは、走査信号を走査信号線に順次印加しないように動作し、１フレームに発生するＶブランク期間の数が、前記第１のモードで動作するときより多くなるように構成されており、
前記タッチコントローラは、
前記表示装置が前記第１のモードおよび前記第２のモードのいずれで動作するときも、前記Ｖブランク期間にのみ前記駆動信号を生成するように構成された
請求項１に記載の表示装置。
【請求項１３】
前記表示装置は、
前記第２のモードでは走査信号を走査信号線に順次印加しないように動作するとともに、前記第１のモードと前記第２のモードともに所定の数の走査信号線に走査信号が印加される毎に休止期間を設けて動作し、前記第２のモードで動作するときは、前記第１のモードで動作するときよりも、１フレーム期間に発生する前記休止期間の数が多くなるように構成されており、
前記タッチコントローラは、
前記表示装置が前記第１のモードおよび前記第２のモードのいずれで動作するときも、前記休止期間にのみ前記駆動信号を生成するように構成された
請求項１に記載の表示装置。
【請求項１４】
第１のフレーム周波数で動作する第１のモードと、前記第１のフレーム周波数よりも低い第２のフレーム周波数で動作する第２のモードとを含む複数の動作モードのいずれかの動作モードで動作するように構成されるとともに前記動作モードを通知するモード信号を生成するように構成された表示装置に備えられ、使用者の接触位置を検出するように構成された入力装置であって、
複数の駆動電極と、
前記駆動電極に交差するように配置された複数の検知電極と、
前記検知電極に接続され、前記検知電極から検出信号を検出して前記接触位置を検出するように構成されるとともに、前記モード信号に基づき前記表示装置の前記動作モードを判断し、前記判断の結果にもとづき駆動信号を生成して前記駆動電極に印加するように構成されたタッチコントローラと、
を備えた入力装置。
【発明の詳細な説明】
【技術分野】
【０００１】
本開示は、画面へ座標を入力する入力装置およびこの入力装置を備えた表示装置に関する。
【背景技術】
【０００２】
表示画面に使用者の指などを接触させて情報を入力する（以下、「タッチ操作」、または単に「タッチ」と記す）画面入力機能をもつ入力装置がある。そのような入力装置を備えた表示装置は、ＰＤＡ（Ｐｅｒｓｏｎａｌ  Ｄｉｇｉｔａｌ  Ａｓｓｉｓｔａｎｃｅ）や携帯端末などのモバイル用電子機器、各種の家電製品、無人受付機等の据置型顧客案内端末に用いられている。このようなタッチによる入力装置として、タッチされた部分の抵抗値変化を検出する抵抗膜方式、あるいは容量変化を検出する静電容量結合方式、タッチにより遮蔽された部分の光量変化を検出する光センサ方式などが知られている。
【０００３】
また、最近では表示装置の消費電力を減らすための研究が試みられている。例えば、静止画像における映像データを保存し、静止画像を表示する間は、保存している映像データを表示させるＰＳＲ（Ｐａｎｅｌ  Ｓｅｌｆ  Ｒｅｆｒｅｓｈ）方式が提案されている。特許文献１では、ＰＳＲ方式において、さらに消費電力を減らすために、動画像を表示するときは第１の周波数で駆動し、静止画像を表示する時は、第１の周波数よりも低い第２の周波数で駆動する表示装置が開示されている。
【先行技術文献】
【特許文献】
【０００４】
【特許文献１】特開２０１３−０３７３６６号公報
【発明の概要】
【発明が解決しようとする課題】
【０００５】
本開示は、タッチ操作時の検出精度の低下を防ぐ入力装置およびこの入力装置を備えた表示装置を提供する。
【課題を解決するための手段】
【０００６】
本開示における入力装置は、第１のフレーム周波数で動作する第１のモードと、第１のフレーム周波数よりも低い第２のフレーム周波数で動作する第２のモードとを含む複数の動作モードのいずれかの動作モードで動作するように構成されるとともに現在の動作モードを通知するモード信号を生成するように構成された表示装置に備えられており、使用者の接触位置を検出するように構成されている。そして、この入力装置は、複数の駆動電極と、駆動電極に交差するように配置された複数の検知電極と、タッチコントローラとを備えている。タッチコントローラは、検知電極に接続され、検知電極から検出信号を検出して使用者の接触位置を検出するように構成されている。また、タッチコントローラは、モード信号に基づき表示装置の動作モードを判断し、その判断の結果にもとづき駆動信号を生成して駆動電極に印加するように構成されている。
【０００７】
本開示における表示装置は、第１のフレーム周波数で動作する第１のモードと、第１のフレーム周波数よりも低い第２のフレーム周波数で動作する第２のモードとを含む複数の動作モードのいずれかの動作モードで動作するように構成されるとともに現在の動作モードを通知するモード信号を生成するように構成されている。この表示装置は、複数の走査信号線と、使用者の接触位置を検出するように構成された入力装置と、を備えている。この入力装置は、複数の駆動電極と、駆動電極に交差するように配置された複数の検知電極と、タッチコントローラと、を備えている。タッチコントローラは、検知電極に接続され、検知電極から検出信号を検出して使用者の接触位置を検出するように構成されている。また、タッチコントローラは、モード信号に基づき表示装置の動作モードを判断し、その判断の結果にもとづき駆動信号を生成して駆動電極に印加するように構成されている。
【発明の効果】
【０００８】
本開示における入力装置およびこの入力装置を備えた表示装置は、タッチ操作時の検出精度の低下を防ぐのに有効である。
【図面の簡単な説明】
【０００９】
【図１】図１は、実施の形態１におけるタッチセンサ機能を備えた表示装置の全体構成を示すブロック図である。
【図２】図２は、実施の形態１におけるタッチセンサを構成する駆動電極と検知電極の配列の一例を示す斜視図である。
【図３Ａ】図３Ａは、実施の形態１におけるタッチセンサの構成を概略的に示す図である。
【図３Ｂ】図３Ｂは、図３Ａの等価回路を示す図である。
【図３Ｃ】図３Ｃは、図３Ａのタッチセンサにタッチ操作を行っているときの概略図である。
【図３Ｄ】図３Ｄは、図３Ｃの等価回路を示す図である。
【図４】図４は、図３Ａに示すタッチセンサにタッチ操作を行っていない場合とタッチ操作を行った場合の検出信号の変化を示す波形図である。
【図５】図５は、実施の形態１における液晶パネルの走査信号線の配列構造とタッチセンサの駆動電極および検知電極の配列構造を示す概略図である。
【図６】図６は、実施の形態１における各走査信号線への走査信号の入力と、各駆動電極への駆動信号の入力との関係を概略的に示す図である。
【図７】図７は、実施の形態１における駆動方法１−１の通常モード時における１フレーム期間の走査信号と駆動信号のタイミングチャートである。
【図８】図８は、実施の形態１の１水平走査期間における表示更新期間とタッチ検出期間との関係の一例を示すタイミングチャートである。
【図９】図９は、実施の形態１における駆動方法１−１のＰＳＲモード時における１フレーム期間の走査信号と駆動信号のタイミングチャートである。
【図１０】図１０は、実施の形態２における駆動方法２−１の通常モード時における１フレーム期間の走査信号と駆動信号のタイミングチャートである。
【図１１】図１１は、実施の形態２における駆動方法２−１のＰＳＲモード時における１フレーム期間の走査信号と駆動信号のタイミングチャートである。
【図１２】図１２は、実施の形態３における駆動方法３−１の通常モード時における１フレーム期間の走査信号と駆動信号のタイミングチャートである。
【図１３】図１３は、実施の形態３における駆動方法３−１のＰＳＲモード時における１フレーム期間の走査信号と駆動信号のタイミングチャートである。
【図１４】図１４は、実施の形態４における駆動方法４−１の通常モード時における１フレーム期間の走査信号と駆動信号のタイミングチャートである。
【図１５】図１５は、実施の形態４における駆動方法４−１のＰＳＲモード時における１フレーム期間の走査信号と駆動信号のタイミングチャートである。
【図１６】図１６は、実施の形態５における駆動方法１−２のＰＳＲモード時における走査信号と駆動信号のタイミングチャートである。
【図１７Ａ】図１７Ａは、実施の形態５における駆動方法１−２の通常モード時における各走査信号線への走査信号の供給と各駆動電極への駆動信号の供給との関係をラインブロック単位で示すタイミングチャートである。
【図１７Ｂ】図１７Ｂは、実施の形態５における駆動方法１−２のＰＳＲモード時における各走査信号線への走査信号の供給と各駆動電極への駆動信号の供給との関係をラインブロック単位で示すタイミングチャートである。
【図１８】図１８は、実施の形態６における駆動方法２−２のＰＳＲモード時における走査信号と駆動信号のタイミングチャートである。
【図１９Ａ】図１９Ａは、実施の形態６における駆動方法２−２の通常モード時における各走査信号線への走査信号の供給と各駆動電極への駆動信号の供給との関係をラインブロック単位で示すタイミングチャートである。
【図１９Ｂ】図１９Ｂは、実施の形態６における駆動方法２−２のＰＳＲモード時における各走査信号線への走査信号の供給と各駆動電極への駆動信号の供給との関係をラインブロック単位で示すタイミングチャートである。
【図２０】図２０は、実施の形態７における駆動方法３−２のＰＳＲモード時における走査信号と駆動信号のタイミングチャートである。
【図２１】図２１は、実施の形態８における駆動方法４−２のＰＳＲモード時における走査信号と駆動信号のタイミングチャートである。
【図２２】図２２は、実施の形態９における駆動方法１−３のＰＳＲモード時における走査信号と駆動信号のタイミングチャートである。
【図２３】図２３は、実施の形態１０における駆動方法２−３のＰＳＲモード時における走査信号と駆動信号のタイミングチャートである。
【図２４】図２４は、実施の形態１１における駆動方法３−３のＰＳＲモード時における走査信号と駆動信号のタイミングチャートである。
【図２５】図２５は、実施の形態１２における駆動方法４−３のＰＳＲモード時における走査信号と駆動信号のタイミングチャートである。
【図２６】図２６は、実施の形態１３におけるタッチセンサ機能を備えた表示装置の全体構成を示すブロック図である。
【図２７】図２７は、実施の形態１３における駆動方法１−１のＰＳＲモード時のタイミングチャートである。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、添付図面および以下の説明は、当業者が本開示を十分に理解するために提供されるのであって、これらにより特許請求の範囲に記載の主題を限定することは意図されていない。
【００１２】
また、各実施の形態において、表示装置がＰＳＲ方式で駆動している状態（例えば、静止画を表示している状態）をＰＳＲモード、ＰＳＲ方式で駆動していない状態（例えば、通常の動画を表示している状態）を通常モードとして説明する。表示装置は、通常モードでは第１のフレーム周波数（例えば、６０Ｈｚ）で動作し、ＰＳＲモードでは第１のフレーム周波数よりも低い第２のフレーム周波数（例えば、２０Ｈｚ〜４０Ｈｚ程度）で動作する。また、特許請求の範囲において、通常モードは第１のモード、ＰＳＲモードは第２のモード、ＰＳＲモード信号はモード信号、に対応する。
【００１３】
また、表示装置は、ＰＳＲモードに移行する時に、通常モードの最後の画像データを１フレーム分保有し、ＰＳＲモード時には、保有している画像データを利用して、静止画を表示する。このとき、画像データの出力の順番、タイミングを任意に変化することができる。従って、ＰＳＲモード時には、通常モードよりもフレーム周波数を低下（低フレームレート化）することが可能となる。
【００１４】
なお、フレームレートとは単位時間（例えば、１秒間）に何枚のフレームを表示するか（全画面の表示更新を何回行うか）を示す数値である。
【００１５】
（実施の形態１）
以下、図１〜図９を用いて、実施の形態１について説明する。
【００１６】
［１−１．構成］
図１は、実施の形態１におけるタッチセンサ機能を備えた表示装置１００の全体構成を示すブロック図である。
【００１７】
図１に示すように、表示装置１００は、液晶パネル２１、バックライトユニット２２、走査線駆動回路２３、映像線駆動回路２４、バックライト駆動回路２５、信号制御装置２８、タッチコントローラ１４を備えている。また、タッチコントローラ１４は、センサ制御回路１３、センサ駆動回路２６、信号検出回路２７を備えている。
【００１８】
なお、本実施の形態および以降の実施の形態において、入力装置は、駆動電極１１と、検知電極１２と、タッチコントローラ１４とを備えて構成されるものとする。したがって、本実施の形態に示す入力装置は、表示装置１００に備えられており、表示装置１００と一体化しているものとする。以下、入力装置をタッチセンサまたはタッチパネルとも記す。また、入力装置における使用者の指等が接触した位置を、接触位置またはタッチ位置とも記す。
【００１９】
液晶パネル２１は、ガラス基板などの透明基板からなるＴＦＴ（薄膜トランジスタ）基板と、このＴＦＴ基板に対向するように所定の間隙を設けて配置される対向基板とを有し、ＴＦＴ基板と対向基板との間に液晶材料を封入することにより構成されている。
【００２０】
ＴＦＴ基板は、液晶パネル２１の背面側（バックライト側）に位置し、ＴＦＴ基板を構成する基板に、マトリクス状に配置された画素電極と、画素電極に対応して設けられ画素電極への電圧印加をオンオフ制御するスイッチング素子としての薄膜トランジスタ（ＴＦＴ）と、共通電極などを形成することにより構成されている。
【００２１】
また、対向基板は、液晶パネル２１の前面側（表示面側）に位置し、対向基板を構成する透明な基板に、画素電極に対応する位置に少なくとも赤（Ｒ）緑（Ｇ）青（Ｂ）の３原色からなるカラーフィルタ（ＣＦ）と、ＲＧＢのサブピクセルの間、および／またはサブピクセルから構成される画素間に配置されるコントラストを向上させるための遮光材料からなるブラックマトリクス（ＢＭ）などが形成されている。なお、本実施の形態では、ＴＦＴ基板の各サブピクセルに形成されるＴＦＴは、ｎチャネル型のＴＦＴとする。そして、ドレイン電極およびソース電極を定義して構成を説明する。ただし、これは一例であり、ＴＦＴが何らｎチャネル型に限定されるものではない。
【００２２】
ＴＦＴ基板には、複数の映像信号線２９と複数の走査信号線１０とが互いに概ね直交して形成される。走査信号線１０はＴＦＴの水平方向に延伸して設けられ、複数のＴＦＴのゲート電極に共通に接続される。映像信号線２９はＴＦＴの垂直方向に延伸して設けられ、複数のＴＦＴのドレイン電極に共通に接続される。また、各ＴＦＴのソース電極にはＴＦＴに対応する画素領域に配置された画素電極が接続される。
【００２３】
なお、本実施の形態では、液晶パネル２１の長辺に平行な方向を水平方向とし、液晶パネル２１の短辺に平行な方向を垂直方向とする。
【００２４】
ＴＦＴ基板に形成された各ＴＦＴは、走査信号線１０に印加される走査信号に応じて水平列単位で、オン／オフ動作が制御される。オン状態とされた水平列の各ＴＦＴは、画素電極を映像信号線２９に印加される映像信号に応じた電位（画素電圧）に設定する。そして、液晶パネル２１は、複数の画素電極およびこの画素電極に対向するように設けた共通電極を有し、画素電極と共通電極との間に生じる電界により画素領域毎に液晶の配向を制御して、バックライトユニット２２から入射した光に対する透過率を変えることにより、表示面に画像を形成する。
【００２５】
バックライトユニット２２は、液晶パネル２１の裏面側に配置され、液晶パネル２１の裏面から光を照射するものである。バックライトユニット２２には、例えば、複数の発光ダイオードを配列して面光源を構成する構造や、発光ダイオードの光を導光板と拡散反射板とを組み合わせて用いて面光源を構成する構造のものが知られている。
【００２６】
走査線駆動回路２３は、ＴＦＴ基板に形成された複数の走査信号線１０に接続されている。走査線駆動回路２３は、信号制御装置２８から入力されるタイミング信号１、２に応じて走査信号線１０を順番に選択し、選択した走査信号線１０にＴＦＴをオン状態にする電圧を印加する。例えば、走査線駆動回路２３は、シフトレジスタを含んで構成され、シフトレジスタは信号制御装置２８からのトリガ信号（タイミング信号１、２）を受けて動作を開始し、垂直走査方向に沿った順序で走査信号線１０を順次選択し、選択した走査信号線１０に走査パルスを印加する。
【００２７】
映像線駆動回路２４は、ＴＦＴ基板に形成された複数の映像信号線２９に接続されている。映像線駆動回路２４は、走査線駆動回路２３による走査信号線１０の選択に合わせて、選択された走査信号線１０に接続されるＴＦＴそれぞれに、各サブピクセルの階調値を表す映像信号に応じた電圧を印加する。これにより、選択された走査信号線１０に対応するサブピクセルに映像信号が書き込まれる。
【００２８】
バックライト駆動回路２５は、信号制御装置２８から入力される発光制御信号に応じたタイミングおよび輝度でバックライトユニット２２を発光させる。
【００２９】
液晶パネル２１には、タッチセンサを構成する電極として、複数の駆動電極１１と複数の検知電極１２とが互いに交差するように配置されている。
【００３０】
これらの駆動電極１１および検知電極１２を備えて構成されるタッチセンサは、駆動電極１１と検知電極１２との間で、電気信号の入力および静電容量変化による応答検出（電圧変化の検出）を行い、表示面への物体（例えば、使用者の指）の接触を検出する。この接触を検出する電気回路として、センサ駆動回路２６および信号検出回路２７が設けられている。
【００３１】
センサ駆動回路２６は、交流信号源であり、駆動電極１１に接続される。例えば、センサ駆動回路２６は、センサ制御回路１３からタイミング信号であるセンサ信号が入力されると、垂直走査方向に沿った順序で駆動電極１１を順番に選択し、選択した駆動電極１１に矩形状のパルス電圧による駆動信号Ｔｘｖを印加する。
【００３２】
なお、駆動電極１１および走査信号線１０は、ＴＦＴ基板に、水平方向（列方向）に延伸するように形成され、垂直方向（行方向）に複数本配列されている。これらの駆動電極１１および走査信号線１０に電気的に接続されるセンサ駆動回路２６および走査線駆動回路２３は、画素が配列される表示領域の垂直な辺に沿って配置され、左右の辺の一方に走査線駆動回路２３を配置し、他方にセンサ駆動回路２６を配置している。
【００３３】
信号検出回路２７は、静電容量変化を検出する検出回路を複数備えた構成であり、検知電極１２に接続される。信号検出回路２７は、検知電極１２毎に検出回路を設け、検知電極１２から検出信号Ｒｘｖを検出する構成としている。
【００３４】
表示面上での物体の接触位置は、センサ制御回路１３において、どの駆動電極１１に駆動信号Ｔｘｖを印加したときに、どの検知電極１２で接触時の信号が検出されたかに基づいて求められる。そして、センサ制御回路１３では、それら駆動電極１１と検知電極１２との交点が接触位置として求められる。
【００３５】
信号制御装置２８は、ＣＰＵなどの演算処理回路およびＲＯＭやＲＡＭなどのメモリを備えている。信号制御装置２８は、入力される映像データに基づき、色調整などの各種の映像信号処理を行って各サブピクセルの階調値を示す映像信号を生成し、映像線駆動回路２４に供給する。また、信号制御装置２８は、入力された映像データに基づき、走査線駆動回路２３、映像線駆動回路２４、バックライト駆動回路２５、センサ制御回路１３へのタイミング信号を生成し、それらの回路に供給する。また、信号制御装置２８は、バックライト駆動回路２５への発光制御信号として、入力された映像データに基づいてバックライト（例えば、発光ダイオード）の輝度を制御するための輝度信号をバックライト駆動回路２５へ供給する。信号制御装置２８は、入力された映像データに基づき、液晶パネル２１を通常モードとＰＳＲモードのいずれかの動作モードで駆動するようにタイミング信号を生成し、各回路に供給する。
【００３６】
また、信号制御装置２８は、液晶パネル２１が通常モードとＰＳＲモードのいずれの動作モードで駆動されているのかを示すＰＳＲモード信号を生成して出力する。このＰＳＲモード信号は、タッチコントローラ１４のセンサ制御回路１３に入力される。これにより、信号制御装置２８は、表示装置１００が通常モードとＰＳＲモードのいずれの動作モードで動作しているのかをタッチコントローラ１４に通知することができる。
【００３７】
なお、本実施の形態では、ＰＳＲモード信号は、通常モード時はローレベル（Ｌｏ）、ＰＳＲモード時はハイレベル（Ｈｉ）、となる２値信号であるものとする。このＬｏ／Ｈｉは逆であってもよい。また、ＰＳＲモード信号は、通常モードとＰＳＲモードとを区別できる信号であればよく、Ｌｏ／Ｈｉの２値信号でなくてもかまわない。
【００３８】
タッチコントローラ１４のセンサ制御回路１３は、このＰＳＲモード信号により、表示装置１００が通常モードとＰＳＲモードのいずれの動作モードで動作しているのかを知ることができる。センサ制御回路１３は、信号制御装置２８から入力されるタイミング信号およびＰＳＲモード信号に応じてセンサ駆動回路２６及び信号検出回路２７を制御する。
【００３９】
ここで、液晶パネル２１の各信号線および電極に接続される走査線駆動回路２３、映像線駆動回路２４、センサ駆動回路２６、センサ制御回路１３および信号検出回路２７は、フレキシブル配線板やプリント配線板やガラス基板に各回路の半導体チップを搭載することにより構成している。しかし、走査線駆動回路２３、映像線駆動回路２４、センサ駆動回路２６、センサ制御回路１３は、ＴＦＴ基板に、ＴＦＴなどとともに同時に形成することにより搭載してもよい。
【００４０】
タッチコントローラ１４は、センサ駆動回路２６、信号検出回路２７、センサ制御回路１３を備え、信号制御装置２８より入力されるタイミング信号およびＰＳＲモード信号に基づいて、タッチセンサを制御する。センサ駆動回路２６、信号検出回路２７、センサ制御回路１３はそれぞれ個別の半導体であってもよいし、まとめて１つの半導体としてもよい。
【００４１】
図２は、実施の形態１におけるタッチセンサを構成する駆動電極と検知電極の配列の一例を示す斜視図である。図２に示すように、入力装置としてのタッチセンサは、図２の左右方向に延伸する複数本のストライプ状の電極パターンである駆動電極１１と、駆動電極１１の電極パターンの延伸方向と交差する方向に延びる複数本のストライプ状の電極パターンである検知電極１２とを備えて構成されている。それぞれの駆動電極１１と検知電極１２とが互いに交差した交差部分それぞれに、静電容量を持つ容量素子が形成されている。
【００４２】
また、駆動電極１１は、走査信号線１０が延伸する方向に対して平行な方向に延伸するように配列されている。そして、駆動電極１１は、後で詳細に説明するが、互いに隣接するＭ（Ｍは自然数）本の走査信号線１０を１つのラインブロックとしたとき、複数のＮ（Ｎは自然数）本のラインブロックそれぞれに対応するように配置され、ラインブロック毎に駆動信号を印加するように構成している。
【００４３】
タッチ検出動作を行う際は、センサ駆動回路２６から駆動電極１１に対し、ラインブロック毎に時分割的に線順次走査するように駆動信号Ｔｘｖを印加する。これにより、検出対象となる１つのラインブロックが順次選択される。また、信号検出回路２７が検知電極１２から検出信号Ｒｘｖを受信することにより、１つのラインブロックのタッチ検出が行われるように構成されている。
【００４４】
次に、静電容量方式のタッチセンサにおけるタッチ検出の原理（電圧検知方式）について、図３、図４を用いて説明する。
【００４５】
図３Ａは、実施の形態１におけるタッチセンサの構成を概略的に示す図である。図３Ｂは、図３Ａの等価回路を示す図である。図３Ｃは、図３Ａのタッチセンサにタッチ操作を行っているときの概略図である。図３Ｄは、図３Ｃの等価回路を示す図である。
【００４６】
図４は、図３Ａに示すタッチセンサにタッチ操作を行っていない場合とタッチ操作を行った場合の検出信号の変化を示す波形図である。
【００４７】
静電容量方式のタッチセンサは、図２に示すように、互いに交差するようにマトリクス状に配置された一対の駆動電極１１と検知電極１２とが、図３Ａに示すように、誘電体Ｄを挟んで対向配置していることにより、その交差部に容量素子を構成している。等価回路は、図３Ｂのように表わされ、駆動電極１１、検知電極１２および誘電体Ｄによって、容量素子Ｃ１が構成される。容量素子Ｃ１は、その一端が交流信号源としてのセンサ駆動回路２６に接続され、他端Ｐは抵抗器Ｒを介して接地されるとともに、電圧検出器としての信号検出回路２７に接続される。
【００４８】
交流信号源としてのセンサ駆動回路２６から駆動電極１１（容量素子Ｃ１の一端）に、数十ｋＨｚ〜数百ｋＨｚ程度の周波数（所定の周波数）のパルス電圧波形の駆動信号Ｔｘｖ（図４）を印加すると、検知電極１２（容量素子Ｃ１の他端Ｐ）に、図４に示すような出力波形（検出信号Ｒｘｖ）が現れる。
【００４９】
指が接触（または近接）していない状態では、図３Ｂに示すように、容量素子Ｃ１に対する充放電に伴って、容量素子Ｃ１の容量値に応じた電流Ｉ０が流れる。このときの容量素子Ｃ１の他端Ｐの電位波形は、図４の波形Ｖ０のようになり、これが電圧検出器である信号検出回路２７によって検出される。
【００５０】
一方、指が接触（または近接）した状態では、図３Ｄに示すように、等価回路は、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、図４の波形Ｖ１のようになり、これが電圧検出器である信号検出回路２７によって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも低い電圧値となる。
【００５１】
信号検出回路２７は、検知電極１２それぞれから出力される検出信号Ｒｘｖの電位を所定のしきい値電圧Ｖｔｈと比較し、検出信号Ｒｘｖが、このしきい値電圧Ｖｔｈ以上であれば非接触状態と判断し、しきい値電圧Ｖｔｈ未満であれば接触状態と判断する。このようにして、タッチ検出が可能となる。なお、本実施の形態は何らタッチ検出を電圧検出に限定しない。これ以外の静電容量の変化を検知する方法として、例えば、電流を検知する方法等がある。
【００５２】
［１−２．動作］
次に、本実施の形態におけるタッチセンサの駆動方法の一例について、図５〜図９を用いて説明する。
【００５３】
図５は、実施の形態１における液晶パネル２１の走査信号線１０の配列構造とタッチセンサの駆動電極１１および検知電極１２の配列構造を示す概略図である。図５に示すように、水平方向に延伸するＸ本の走査信号線１０は、互いに隣接するＭ（Ｍは自然数）本の走査信号線１０（例えば、走査信号線Ｇ１−１、Ｇ１−２・・・Ｇ１−Ｍ、等）を１つのラインブロックとし、複数のＮ（Ｎは自然数）本のラインブロック１０−１、１０−２・・・１０−Ｎに分割して配列されている。
【００５４】
なお、図５および以降の図面では、走査信号線１０を、「走査信号線Ｇａ−ｂ」とも記す。「ａ」は、その走査信号線１０が上からａ番目のラインブロックに含まれることを示す。また、「ｂ」は、その走査信号線１０が、そのラインブロックでｂ番目に配置されていることを示す。すなわち、「走査信号線Ｇａ−ｂ」とは、ラインブロック１０−ａに含まれるｂ番目の走査信号線１０のことである。なお、Ｎ×Ｍは、走査信号線１０の総数Ｘに等しい。
【００５５】
タッチセンサの駆動電極１１は、ラインブロック１０−１、１０−２・・・１０−Ｎに対応させて、Ｎ本の駆動電極１１−１、１１−２・・・１１−Ｎが水平方向に延伸するように配列される。そして、Ｎ本の駆動電極１１−１、１１−２・・・１１−Ｎと交差するように、複数本の検知電極１２が垂直方向に延伸して配列されている。
【００５６】
図６は、実施の形態１における各走査信号線１０への走査信号の入力と、各駆動電極１１への駆動信号の入力との関係を概略的に示す図である。なお、各走査信号線１０へ走査信号を順次印加するのは、液晶パネル２１における表示画像の更新（以下、「表示更新」と記す）を行うためであり、各駆動電極１１へ駆動信号を順次印加するのはタッチセンサのタッチ検出を行うためである。なお、本実施の形態および以降の実施の形態では、１つのラインブロックを構成する複数の走査信号線１０の全てに走査信号を印加するのに要する時間を「１ラインブロック走査期間」と記す。図６では、（１）から（６）へと時間が経過し、図６の（１）〜（６）それぞれが１ラインブロック走査期間における状態を示している。
【００５７】
本実施の形態では、図６の（１）に示すように、一番上のラインブロック１０−１を構成する走査信号線Ｇ１−１〜Ｇ１−Ｍのそれぞれに走査信号を順次印加しているラインブロック走査期間においては、一番下のラインブロック１０−Ｎに対応する駆動電極１１−Ｎに駆動信号を印加している。この後に続くラインブロック走査期間では、図６の（２）に示すように、上から２番目のラインブロック１０−２を構成する走査信号線Ｇ２−１〜Ｇ２−Ｍのそれぞれに走査信号を順次印加する。そして、このラインブロック走査期間においては、直前のラインブロック走査期間に走査信号を印加したラインブロック１０−１に対応する駆動電極１１−１に駆動信号を印加している。
【００５８】
そして、図６の（３）〜（６）に示すように、ラインブロック１０−３、１０−４、１０−５、・・・、１０−Ｎを構成する走査信号線Ｇ３−１〜ＧＮ−Ｍのそれぞれに走査信号を順次印加して、ラインブロック走査期間が順次進行する。一方、各ラインブロック走査期間では、直前のラインブロック走査期間において走査信号を印加したラインブロック１０−２、１０−３、１０−４、・・・、１０−（Ｎ−１）に対応する駆動電極１１−２、１１−３、１１−４、・・・、１１−（Ｎ−１）に駆動信号を順次印加する。本実施の形態では、各走査信号線１０に走査信号を印加する順番と、各駆動電極１１に駆動信号を印加する順番をこのように構成している。
【００５９】
すなわち、本実施の形態においては、各駆動電極１１へ駆動信号を印加するときに、各ラインブロック走査期間において、走査信号を印加する走査信号線１０が属するラインブロックとは異なるラインブロックに対応する駆動電極１１を選択して駆動信号を印加するように構成している。
【００６０】
なお、図６では、直前のラインブロック走査期間に走査信号を印加したラインブロックに対応する駆動電極１１に駆動信号を印加する例を示したが、本実施の形態は何らこの構成に限定されない。本実施の形態では、走査信号を印加するラインブロックに対応する駆動電極１１に駆動信号を印加しないように設定すればよい。例えば、走査信号を印加するラインブロックと、駆動信号を印加する駆動電極１１との間に、１つまたは２つ以上のラインブロックをはさむように構成してもよい。
【００６１】
図７は、実施の形態１における駆動方法１−１の通常モード時における１フレーム期間の走査信号と駆動信号のタイミングチャートである。なお、図７には、図６に示した例にもとづくタイミングチャートを示している。
【００６２】
通常モード時、信号制御装置２８は、ＬｏレベルのＰＳＲモード信号を出力する。タッチコントローラ１４は、信号制御装置２８から入力されるＰＳＲモード信号がＬｏレベルであれば、表示装置１００は通常モードで動作していると判断し、その判断にもとづく駆動信号を生成する。
【００６３】
図７に示すように、駆動方法１−１の通常モード時には、１フレーム期間のそれぞれの水平走査期間（１Ｈ）において、各走査信号線１０に、ラインブロック１０−１、１０−２、・・・、１０−Ｎの順番で走査信号が順次（図７に示す例では、走査信号線Ｇ１−１、Ｇ１−２、・・・、ＧＮ−Ｍ、の順番で）印加されて表示更新が行われる。この走査信号が印加されている期間内に、ラインブロック１０−Ｎ、１０−１、１０−２、…、１０−（Ｎ−１）に対応する駆動電極１１−Ｎ、１１−１、１１−２、…、１１−（Ｎ−１）に、タッチ検出のための駆動信号がラインブロック走査期間単位で順次印加される。
【００６４】
第１、第２のタイミング信号は液晶パネル２１の動作のために、信号制御装置２８により生成される。図７において、第１のタイミング信号であるタイミング信号１は各走査信号の生成のタイミングを表す信号であり、第２のタイミング信号であるタイミング信号２は１フレーム期間における最初の走査信号の生成開始タイミングを表す信号である。タイミング信号１は実質的に毎水平走査期間（毎Ｈ）発生する信号であり、タイミング信号２は１フレーム期間に１回発生する信号である。図７の例では、ラインブロック１０−１から走査を始める場合を示している。具体的には、走査線駆動回路２３にタイミング信号２の入力後、タイミング信号１が入力されると、走査信号線Ｇ１−１に走査信号が印加される動作となる。
【００６５】
また、センサ信号はセンサ駆動回路２６の動作のために作られる信号であり、センサ制御回路１３が信号制御装置２８より入力されるタイミング信号１、２に基づいて、タイミング信号１に所定の遅延を設けて生成する。センサ駆動回路２６は、センサ制御回路１３が生成するセンサ信号に基づいて、駆動電極１１に駆動信号を印加する。図７に示すように、センサ信号は通常モードにおいては走査信号に同期した信号となる。
【００６６】
図８は、実施の形態１の１水平走査期間における表示更新期間とタッチ検出期間との関係の一例を示すタイミングチャートである。また、駆動方法１−１においては、各走査信号間には所定の休止期間は存在しない。
【００６７】
図８に示すように、表示更新期間においては、走査信号線１０に走査信号が順次印加されるとともに、各画素の画素電極のスイッチング素子に接続される映像信号線２９には、入力される映像信号に応じた画素信号が入力される。
【００６８】
本実施の形態においては、この表示更新期間にもとづくタイミングでタッチ検出期間を設けており、表示更新期間から遷移期間を除いた期間をタッチ検出期間としている。すなわち、走査信号が所定の電位に立ち上がり、各電極の電圧の変位が収束した時点で、駆動電極１１に駆動信号としてパルス電圧を印加する。そして、パルス電圧の立上りによる電位の変位点からタッチ検出期間を開始している。また、タッチ検出タイミングＳは、パルス電圧の立下りポイント直前とタッチ検出期間終了ポイントの２箇所に存在している。ここで、遷移期間には、画素信号が変位する期間ｔ１と、画素信号の変位に伴い共通電極の電位が変位し収束する期間ｔ１＋ｔ２とを設定している。これは、画素信号の遷移期間ｔ１に、パネル内寄生容量の容量結合により、共通電極の電位の変動が生じるためであり、それらの変動がタッチ検出期間で起こらないようにするためである。
【００６９】
なお、図８には、タッチ検出タイミングの一例を示したが、タッチ検出タイミングは、図８に示すタイミングに限定されるものではなく、表示更新動作によって表示装置１００にノイズが生じる期間を避けて設定することが望ましい。
【００７０】
なお、タッチ検出期間におけるタッチ検出動作は、図３、図４を用いて説明した通りである。
【００７１】
次に、図９を用いて、駆動方法１−１におけるＰＳＲモード時のタッチ検出動作について説明する。図９は、実施の形態１における駆動方法１−１のＰＳＲモード時における１フレーム期間の走査信号と駆動信号のタイミングチャートである。
【００７２】
ＰＳＲモード時、信号制御装置２８は、ＨｉレベルのＰＳＲモード信号を出力する。タッチコントローラ１４は、信号制御装置２８から入力されるＰＳＲモード信号がＨｉレベルであれば、表示装置１００はＰＳＲモードで動作していると判断し、その判断にもとづく駆動信号を生成する。
【００７３】
図９に示すように、表示装置１００がＰＳＲモードに移行し低フレームレート化すると、走査線駆動回路２３が最後の走査信号（図９に示す例では、走査信号線ＧＮ−Ｍに印加する走査信号）を出力した後は、１フレームが終了するまで、センサ制御回路１３にはタイミング信号１が入力されない。すなわち、図９に示すように、最後のタイミング信号１に応じた走査信号（図９に示す例では、走査信号線ＧＮ−Ｍに印加する走査信号）の出力が完了してから、次のフレームの最初の走査信号（図９に示す例では、走査信号線Ｇ１−１に印加する走査信号）の入力が開始されるまでの期間ｔ３（以下、「Ｖブランク期間」と記す）においては、走査線駆動回路２３から走査信号が出力されない。すなわち、Ｖブランク期間は、１画面分の走査信号線１０に走査信号を印加し終えた後に設けられた、走査信号線１０に走査信号が印加されない期間（走査信号の生成を休止する期間）である。従って、ＰＳＲモード期間に、センサ制御回路１３が通常モードと同じ動作を踏襲する場合は、Ｖブランク期間はセンサ信号も出力されなくなる。すなわち、低フレームレート化により、タッチパネルのレポートレートが低下する。
【００７４】
なお、通常モード時のフレームレートが例えば６０Ｈｚであり、ＰＳＲモード時のフレームレートが例えば４０Ｈｚであれば、通常モード時の１フレーム期間に対してＰＳＲモード時の１フレーム期間は約１．５倍の長さになる。このフレーム期間の差により、ＰＳＲモード時のＶブランク期間の長さが決定される。しかし、本実施の形態は、各モードのフレームレートが何らこれらの数値に限定されるものではない。
【００７５】
また、タッチパネルのレポートレートとは、タッチ検出のための１画面分の走査と、タッチ位置を特定するためのタッチ位置の算出と、算出したタッチ位置（座標）を出力するという一連の動作を単位時間（例えば、１秒間）に何回繰り返して行うかを示す数値のことである。レポートレートの数値が大きいほど単位時間あたりのタッチ位置の座標の出力回数が増加し、タッチ位置の座標の時間的な分解能（単位時間にタッチ位置の座標の出力を何回行うことができるかを示す能力）が上がる。なお、タッチ位置の座標の空間的な分解能（タッチ位置の座標をどこまで細かく検出できるかを示す能力）は、駆動電極１１および検知電極１２の本数に依存する。
【００７６】
ＰＳＲモード時にレポートレートが低下すると、素早いタッチ動作に追随することが困難になるので、望ましくない。そこで、実施の形態１においては、センサ制御回路１３は、ＰＳＲモード信号に基づき、現在の動作モードが通常モードかＰＳＲモードかを判断する。具体的には、センサ制御回路１３は、ＰＳＲモード信号がＬｏレベルからＨｉレベルに変位すれば、表示装置１００が通常モードからＰＳＲモードに移行したと判断する。そして、センサ制御回路１３は、表示装置１００がＰＳＲモードに移行したと判断したときは、図９に示したようにセンサ信号の発生方法を通常モード時と変えて、レポートレートの低下を防止する。
【００７７】
なお、図７には、通常モード時にＶブランク期間が発生しないタイミングチャートを示したが、通常モード時にＶブランク期間が発生することもある。通常モード時、ＰＳＲモード時、ともに、Ｖブランク期間は、１フレーム期間の最後のタイミング信号１による水平走査期間の終了後から、次フレームのタイミング信号２が発生するまでの期間である。したがって、図７では、長さが実質的に０のＶブランク期間が発生した、と言い換えることができる。また、ＰＳＲモードのフレームレートは通常モードよりも低いので、ＰＳＲモードのＶブランク期間は通常モードのＶブランク期間よりも長くなる。
【００７８】
センサ制御回路１３は、ＰＳＲモード信号に基づき表示装置１００が通常モードからＰＳＲモードに移行したと判断すると、タイミング信号１が生成されないＶブランク期間においても、センサ信号を通常モードと同じタイミングで生成し、センサ駆動回路２６に出力する。センサ駆動回路２６はセンサ信号を受信すると、駆動電極１１に駆動信号を印加する。また、信号検出回路２７は検出信号Ｒｘｖを検出する。
【００７９】
このように制御することで、センサ制御回路１３は、信号制御装置２８よりタイミング信号１が入力されなくても、センサ信号を所定のタイミングで生成することができる。従って、表示装置１００がＰＳＲモードに移行し、低フレームレート化しても、タッチパネルのレポートレートを通常モード時のレポートレートと実質的に同等に維持することが可能である。
【００８０】
なお、ＰＳＲモード時のＶブランク期間では、走査信号が生成されないので、センサ駆動回路２６は、駆動信号を生成する際に図８に示したタイミングの制約を考慮しなくてもよい。したがって、Ｖブランク期間のセンサ信号は通常モードと同じタイミングで生成せず、タイミングを変えて生成してもよい。
【００８１】
［１−３．効果等］
以上のように、本実施の形態の入力装置は、第１のフレーム周波数で動作する第１のモードと、第１のフレーム周波数よりも低い第２のフレーム周波数で動作する第２のモードとを含む複数の動作モードのいずれかの動作モードで動作するように構成されるとともに現在の動作モードを通知するＰＳＲモード信号を生成するように構成された表示装置１００に備えられており、使用者の接触位置を検出するように構成されている。そして、この入力装置は、複数の駆動電極１１と、駆動電極に交差するように配置された複数の検知電極１２と、タッチコントローラ１４とを備えている。タッチコントローラ１４は、検知電極１２に接続され、検知電極１２から検出信号を検出して使用者の接触位置を検出するように構成されている。また、タッチコントローラ１４は、ＰＳＲモード信号に基づき表示装置１００の動作モードを判断し、その判断の結果にもとづき駆動信号を生成して駆動電極１１に印加するように構成されている。
【００８２】
表示装置１００は、走査信号線１０に走査信号が印加されない期間であるＶブランク期間を１フレーム期間に設けて動作するように構成され、タッチコントローラ１４は、ＰＳＲモード信号にもとづき表示装置１００の動作モードを判断するように構成されている。例えばタッチコントローラ１４は、ＰＳＲモード信号がＬｏレベルからＨｉレベルに変位すれば、表示装置が通常モードからＰＳＲモードに移行したと判断する。
【００８３】
また、表示装置１００は、動作モードに応じて発生する第１のタイミング信号と１フレームに１回の割合で発生する第２のタイミング信号とにもとづき走査信号が生成されるように構成されるとともに、第２のモード（ＰＳＲモード）で動作するときにはＶブランク期間に第１のタイミング信号が生成されないように構成されている。そして、表示装置１００の信号制御装置２８は、表示装置１００の動作モードをタッチコントローラ１４に通知するＰＳＲモード信号を生成するように構成されている。タッチコントローラ１４は、ＰＳＲモード信号に基づき、表示装置１００が第１のモード（通常モード）で動作すると判断したときは、第１のタイミング信号にもとづき駆動信号を生成し、ＰＳＲモード信号に基づき、表示装置１００が第２のモード（ＰＳＲモード）で動作すると判断したときは、第１のタイミング信号にもとづき駆動信号を生成するとともに第１のタイミング信号が生成されないＶブランク期間においても駆動信号を生成するように構成されている。
【００８４】
これにより、表示装置１００が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【００８５】
（実施の形態２）
以下、実施の形態１に示した駆動方法１−１とは異なる駆動方法２−１で表示装置が駆動された場合の動作について、図１０、図１１を用いて説明する。
【００８６】
［２−１．構成］
実施の形態２における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【００８７】
［２−２．動作］
図１０は、実施の形態２における駆動方法２−１の通常モード時における１フレーム期間の走査信号と駆動信号のタイミングチャートである。
【００８８】
図１０に示すように、駆動方法２−１においては、２つの走査信号の間、例えば、走査信号線Ｇ１−１に印加された走査信号と走査信号線Ｇ１−２に印加された走査信号の間に、所定の期間ｔ４（以下、「Ｈブランク期間」と記す）が存在するように走査信号を生成する。すなわち、Ｈブランク期間は、１水平走査期間に設けられた、走査信号線１０に走査信号が印加されない期間（走査信号の生成を休止する期間）である。駆動方法２−１においては、Ｈブランク期間に映像信号（画素信号）の変化が起こらないようにすることで、Ｈブランク期間を、液晶パネル内の寄生容量に起因して発生する電圧変動を考慮しなくてよい（以下、このような電圧変動を「ディスプレイノイズ」とも記す）期間にすることができる。したがって、図１０に示すように、Ｈブランク期間中に駆動電極１１に駆動信号を印加し、タッチ信号の送信・受信を行うことで、図７、図９に示した駆動方法１−１と比較して、タッチセンサの感度を上げることができる。これは、駆動方法１−１では、ディスプレイノイズを低減するために、駆動信号を印加するタイミングを工夫しているが、時間的な制約のために、映像信号線２９に起因するディスプレイノイズを完全に排除することが困難なためである。
【００８９】
そして、駆動方法２−１では、Ｈブランク期間中にタッチ検出を行うので、図１０に示すように、走査信号を印加するラインブロックに対応する駆動電極１１に駆動信号を印加するように構成することができる。例えば、ラインブロック１０−１を構成する走査信号線Ｇ１−１〜Ｇ１−Ｍに走査信号を印加するラインブロック走査期間に、ラインブロック１０−１に対応する駆動電極１１−１に駆動信号を印加することができる。
【００９０】
なお、駆動方法２−１におけるＶブランク期間は、最後の走査信号（図１０に示す例では、走査信号線ＧＮ−Ｍに印加する走査信号）の後に続くＨブランク期間が終了してから、次のフレームの最初の走査信号（図１０に示す例では、走査信号線Ｇ１−１に印加する走査信号）の入力が開始されるまでの期間となる。
【００９１】
図１１は、実施の形態２における駆動方法２−１のＰＳＲモード時における１フレーム期間の走査信号と駆動信号のタイミングチャートである。図１１に示すように、駆動方法２−１においても、ＰＳＲモード時のＶブランク期間は通常モード時のＶブランク期間よりも長くなる。
【００９２】
図１１に示すように、センサ制御回路１３は、液晶パネル２１が動作していないＶブランク期間にも通常モードと同様にセンサ信号を生成する。センサ駆動回路２６はセンサ制御回路１３より入力されるセンサ信号に応じて、各駆動電極１１に駆動信号を印加する。なお、Ｖブランク期間のセンサ信号は通常モードと同じタイミングで生成せず、タイミングを変えてもよい。
【００９３】
なお、ＰＳＲモードのＶブランク期間に各駆動電極１１に駆動信号のパルス電圧を連続して印加する数は、表示更新時と同じであることが望ましい。例えば、ＰＳＲモードの表示更新時に各駆動電極１１に連続してｎ回のパルス電圧を駆動信号として印加するときは、Ｖブランク期間においても連続してｎ回のパルス電圧を駆動信号として各駆動電極１１に印加することが望ましい。これにより、タッチ検出感度にばらつきが生じることを防止することができる。
【００９４】
［２−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【００９５】
そして、表示装置は、実施の形態１と同様に、動作モードに応じて発生する第１のタイミング信号と１フレームに１回の割合で発生する第２のタイミング信号とにもとづき走査信号が生成されるように構成されるとともに、第２のモード（ＰＳＲモード）で動作するときにはＶブランク期間に第１のタイミング信号が生成されないように構成されている。タッチコントローラは、ＰＳＲモード信号に基づき、表示装置が第１のモード（通常モード）で動作すると判断したときは、第１のタイミング信号にもとづき駆動信号を生成し、ＰＳＲモード信号に基づき、表示装置が第２のモード（ＰＳＲモード）で動作すると判断したときは、第１のタイミング信号にもとづき駆動信号を生成するとともに第１のタイミング信号が生成されないＶブランク期間においても駆動信号を生成するように構成されている。
【００９６】
そして、表示装置は、走査信号線１０に走査信号が印加されない期間であるＨブランク期間を１水平走査期間に設けて動作するように構成され、タッチコントローラは、表示装置が第１のモード（通常モード）で動作すると判断したときはＨブランク期間にのみ駆動信号を生成し、表示装置が第２のモード（ＰＳＲモード）で動作すると判断したときはＨブランク期間およびＶブランク期間に駆動信号を生成するように構成されている。
【００９７】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【００９８】
さらに、本実施の形態の入力装置では、通常モードにおいてはＨブランク期間にのみ、ＰＳＲモードにおいてはＨブランク期間とＶブランク期間にのみ駆動信号を生成してタッチ検出を行うことで、ディスプレイノイズが低減された期間にタッチ検出を行えるので、タッチ検出の感度をより向上することができる。
【００９９】
（実施の形態３）
次に、図１２、図１３を用いて、駆動方法３−１で表示装置を駆動する場合の動作について説明する。
【０１００】
［３−１．構成］
実施の形態３における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０１０１】
［３−２．動作］
図１２は、実施の形態３における駆動方法３−１の通常モード時における１フレーム期間の走査信号と駆動信号のタイミングチャートである。
【０１０２】
駆動方法３−１では、表示更新時、すなわち各走査信号線１０に走査信号を印加している期間、はタッチ検出を行わず、Ｖブランク期間にタッチ検出を行う。そのため、センサ制御回路１３は、Ｖブランク期間のみセンサ信号を生成する。そして、センサ駆動回路２６は、センサ制御回路１３より入力されるセンサ信号に応じて、Ｖブランク期間のみ各駆動電極１１に駆動信号を印加する。
【０１０３】
駆動方法３−１におけるＶブランク期間は、最後のタイミング信号１に応じた走査信号（図１２に示す例では、走査信号線ＧＮ−Ｍに印加する走査信号）の出力が完了してから、次のフレームの最初の走査信号（図１２に示す例では、走査信号線Ｇ１−１に印加する走査信号）の入力が開始されるまでの期間を指す。
【０１０４】
図１２に示すように、駆動方法３−１の場合は、Ｖブランク期間が長くなるように各走査信号を短く走査する。Ｖブランク期間は走査信号、映像信号の変化が起こらない期間である。したがって、Ｖブランク期間はディスプレイノイズを考慮しなくてよい期間である。そこで、駆動方法３−１では、その期間中にタッチ信号の送信・受信を行うことで、タッチセンサの感度を駆動方法１−１と比較して上げることができる。
【０１０５】
図１３は、実施の形態３における駆動方法３−１のＰＳＲモード時における１フレーム期間の走査信号と駆動信号のタイミングチャートである。図１３に示すように、駆動方法３−１においても、ＰＳＲモード時のＶブランク期間は通常モード時のＶブランク期間よりも長くなる。
【０１０６】
図１３に示すように、駆動方法３−１におけるＰＳＲモード時は、センサ制御回路１３はＶブランク期間におけるセンサ信号の生成数を通常モード時のＶブランク期間より増やし、駆動電極１１への駆動信号の印加回数を増やす。これは、ＰＳＲモードでは通常モードよりもフレームレートが低く、ＰＳＲモードのＶブランク期間におけるセンサ信号の生成数が通常モード時と変わらなければ、ＰＳＲモードのタッチパネルのレポートレートが通常モードよりも下がってしまうので、それを防止するためである。
【０１０７】
なお、図１３に示す例の場合は、ＰＳＲモードにおけるタッチパネルのレポートレートが図１２の通常モードよりも下がらないようにするために、各駆動電極１１に印加する駆動信号のパルス電圧を１度に連続して生成するのではなく、複数の連続するパルス電圧を２回に分けて生成する。したがって、通常モードでは、Ｖブランク期間に１画面全体において検出した座標位置のレポートを１回出力するのに対して、ＰＳＲモードでは、Ｖブランク期間に１画面全体において検出した座標位置のレポートを２回出力する。
【０１０８】
［３−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０１０９】
そして、タッチコントローラは、Ｖブランク期間にのみ駆動信号を生成し、表示装置が第２のモード（ＰＳＲモード）で動作するときのＶブランク期間では、表示装置が第１のモード（通常モード）で動作するときのＶブランク期間よりも、多くの駆動信号を生成するように構成されている。
【０１１０】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０１１１】
さらに、本実施の形態の入力装置では、通常モード、ＰＳＲモード、ともにＶブランク期間にのみ駆動信号を生成してタッチ検出を行うことで、ディスプレイノイズが低減された期間にタッチ検出を行えるので、タッチ検出の感度をより向上することができる。
【０１１２】
（実施の形態４）
次に、図１４、図１５を用いて、駆動方法４−１で表示装置を駆動する場合について説明する。
【０１１３】
［４−１．構成］
実施の形態４における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０１１４】
［４−２．動作］
図１４は、実施の形態４における駆動方法４−１の通常モード時における１フレーム期間の走査信号と駆動信号のタイミングチャートである。
【０１１５】
駆動方法４−１では、所定の数の走査信号線１０に走査信号を印加する毎に休止期間ｔ５を設ける。図１４に示す例の場合は、所定の数は、１ラインブロックを構成する走査信号線１０の数（例えば、Ｍ本）である。具体的には、ラインブロック１０−１を構成する走査信号線Ｇ１−１〜Ｇ１−Ｍに走査信号を印加し終えた直後に休止期間を設け、次に、ラインブロック１０−２を構成する走査信号線Ｇ２−１〜Ｇ２−Ｍに走査信号を印加し終えた直後に休止期間を設け、というように、各ラインブロック走査期間が終了した直後に、それぞれ休止期間ｔ５を設ける。そして、休止期間ｔ５の後に、次のラインブロック走査期間を開始し、そのラインブロックを構成する走査信号線１０に走査信号を順次印加する。
【０１１６】
このように、駆動方法４−１では、１ラインブロック走査期間毎（例えば、ラインブロック１０−１の走査を終了してからラインブロック１０−２の走査を開始するまでの間）に休止期間ｔ５を設けている。この休止期間ｔ５は、走査信号、映像信号が生成されない期間である。したがって、休止期間ｔ５は、ディスプレイノイズを考慮しなくてよい期間である。そこで、駆動方法４−１では、この休止期間ｔ５に各駆動電極１１にセンサ駆動回路２６の駆動信号を印加し、タッチ信号の送信・受信を行うことで、タッチセンサの感度を駆動方法１−１と比較して上げることができる。
【０１１７】
なお、図１４に示す駆動方法４−１においては、休止期間ｔ５に２つのパルス電圧を生成するセンサ信号を示しているが、休止期間ｔ５に生成するパルス電圧の数は何ら２つに限定されるものではなく、表示装置の仕様等に応じて最適に設定すればよい。
【０１１８】
なお、駆動方法４−１におけるＶブランク期間は、１フレームの最後の休止期間ｔ５が終了してから、次のフレームの最初の走査信号（図１４に示す例では、走査信号線Ｇ１−１に印加する走査信号）の入力が開始されるまでの期間となる。
【０１１９】
図１５は、実施の形態４における駆動方法４−１のＰＳＲモード時における１フレーム期間の走査信号と駆動信号のタイミングチャートである。
【０１２０】
図１５に示すように、駆動方法４−１においても、ＰＳＲモード時のＶブランク期間は通常モード時のＶブランク期間よりも長くなる。駆動方法４−１の場合、センサ制御回路１３は、Ｖブランク期間においても、センサ信号を生成し、センサ駆動回路２６に駆動電極１１に駆動信号を印加させる。なお、Ｖブランク期間のセンサ信号は通常モードと異なる周期で生成してもよい。
【０１２１】
［４−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０１２２】
そして、表示装置は、所定の数の走査信号線に走査信号が印加される毎に休止期間を設けて動作するように構成されている。タッチコントローラは、ＰＳＲモード信号に基づき、表示装置が第１のモード（通常モード）で動作すると判断したときは休止期間ｔ５にのみ駆動信号を生成し、ＰＳＲモード信号に基づき、表示装置が第２のモード（ＰＳＲモード）で動作すると判断したときは休止期間ｔ５およびＶブランク期間に駆動信号を生成するように構成されている。
【０１２３】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０１２４】
さらに、本実施の形態の入力装置では、通常モードにおいては休止期間ｔ５にのみ、ＰＳＲモードにおいては休止期間ｔ５とＶブランク期間にのみタッチ検出を行うことで、ディスプレイノイズが低減された期間にタッチ検出を行えるので、タッチ検出の感度をより向上することができる。
【０１２５】
（実施の形態５）
次に、図１６、図１７Ａ、１７Ｂを用いて、駆動方法１−２で表示装置を駆動する場合の動作について説明する。
【０１２６】
図１６、図１７Ａ、１７Ｂに示す本実施の形態の駆動方法は、以下の点を除き、実施の形態１に示した駆動方法１−１と実質的に同じであるので、駆動方法１−２と呼称する。すなわち、駆動方法１−２においては、ＰＳＲモード時に、水平走査期間を通常モード時よりも長くする。また、駆動方法１−２では、ＰＳＲモード時に、水平走査期間を延長したことを利用してセンサ信号の生成数を増やすため、Ｖブランク期間にセンサ信号を生成しなくてもよい。
【０１２７】
［５−１．構成］
実施の形態５における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０１２８】
［５−２．動作］
図１６は、実施の形態５における駆動方法１−２のＰＳＲモード時における走査信号と駆動信号のタイミングチャートである。なお、図１６では、説明を簡略化するために、Ｖブランク期間を省略している。
【０１２９】
なお、駆動方法１−２の通常モードにおける動作は、実施の形態１に示した駆動方法１−１と実質的に同様であるので、説明を省略する。
【０１３０】
図１６に示すように、駆動方法１−２におけるＰＳＲモードにおいては、各走査信号線１０に印加するそれぞれの走査信号のパルス幅が、通常モードよりも長くなる。図１６には、通常モードでは１フレーム６０Ｈｚで動作し、ＰＳＲモードでは１フレーム３０Ｈｚで動作する例を示す。図１６に示すように、ＰＳＲモード時の走査信号のパルス幅、すなわちタイミング信号１の１周期の時間を、通常モード時の２倍にすることで、ＰＳＲモードでは１フレームあたりの時間が通常モード時の２倍（例えば、フレームレート３０Ｈｚ）相当になる。
【０１３１】
センサ制御回路１３は、ＰＳＲモード信号に基づき、表示装置の動作モードを判断する。
【０１３２】
図１６に示す例では、センサ制御回路１３は、通常モード時は、１つの水平走査期間ｔ６にセンサ信号を１回生成し、ＰＳＲモード時は、１つの水平走査期間ｔ７にセンサ信号を２回生成する。従って、センサ駆動回路２６は、各駆動電極１１に対して、通常モード時は、１つの水平走査期間ｔ６につき駆動信号を１回印加し、ＰＳＲモード時は、１つの水平走査期間ｔ７につき駆動信号を２回印加する。このように、１つの水平走査期間ｔ７に各駆動電極１１に駆動信号を２回ずつ印加できるのは、水平走査期間ｔ７が水平走査期間ｔ６の約２倍の長さになり、一方で図８に示した遷移期間は実質的に変わらないため、ＰＳＲモード時のタッチ検出期間が増加するためである。
【０１３３】
図１７Ａは、実施の形態５における駆動方法１−２の通常モード時における各走査信号線１０への走査信号の供給と各駆動電極１１への駆動信号の供給との関係をラインブロック単位で示すタイミングチャートである。図１７Ｂは、実施の形態５における駆動方法１−２のＰＳＲモード時における各走査信号線１０への走査信号の供給と各駆動電極１１への駆動信号の供給との関係をラインブロック単位で示すタイミングチャートである。図１７Ａ、１７Ｂには、一例として、ラインブロックの総数が１６（Ｎ＝１６）の場合を示している。しかし、ラインブロックの数は何ら１６に限定されるものではない。図１７Ａ、１７Ｂに示すように、ＰＳＲモード時は通常モード時の１／２倍のスピードで走査信号線１０の走査を行っている。
【０１３４】
図１７Ａ、１７Ｂでは、縦軸の１つのマスが１つのラインブロックを表し、横軸の１つのマスが１つのラインブロック走査期間を表す。本実施の形態では、ＰＳＲモードのフレーム周波数（例えば、３０Ｈｚ）を、通常モードのフレーム周波数（例えば、６０Ｈｚ）の半分に設定しているので、図１７Ｂに示すＰＳＲモード時の１フレーム期間に、図１７Ａに示す通常モード時の２フレームが発生する。また、図１７Ａ、１７Ｂでは、走査信号の印加の順番を実線で示し、駆動信号の印加の順番を破線で示す。なお、図１７Ａ、１７Ｂに示すタイミングチャートは単なる一例に過ぎず、本実施の形態は、何ら図１７Ａ、１７Ｂに示す関係に限定されるものではない。
【０１３５】
通常モード時、走査信号は、図１７Ａに実線で示すように、ラインブロックの配列順、すなわち、ラインブロック１０−１、１０−２、・・・、１０−１６、といった順番で、各走査信号線１０に印加される。また、駆動信号は、図１７Ａに破線で示すように、駆動電極１１−５、１１−６、・・・、１１−１６、１１−１、・・１１−４、といった順番で、各駆動電極１１に印加される。なお、駆動電極１１に順に駆動信号を印加する動作を「タッチ検出のための走査」とも記す。
【０１３６】
なお、図１７Ａに示す例では、走査信号を印加するラインブロックと、駆動信号を印加する駆動電極１１との間に、３つのラインブロックが挟まれており、これは、図１６に示す動作例とは異なる。しかし、本実施の形態は、実施の形態１に示した駆動方法１−１と同様に、走査信号を印加するラインブロックに対応する駆動電極１１に駆動信号を印加しないように設定すればよいので、例えば図１６に示すような駆動を行ってもよく、図１７Ａに示すような駆動を行ってもよい。
【０１３７】
ＰＳＲモード時、走査信号は、図１７Ｂに実線で示すように、ラインブロックの配列順、すなわち、ラインブロック１０−１、１０−２、・・・、１０−１６、といった順番で、各走査信号線１０に印加される。この走査の順番は、図１７Ａに示す通常モード時と同じであるが、図１７Ａと図１７Ｂとの比較からわかるように、ＰＳＲモードで１画面分の走査が１回行われる期間に、通常モードでは１画面分の走査が２回行われる。これは、ＰＳＲモードのフレームレートが通常モードのフレームレートの半分に設定されているためである。
【０１３８】
一方、ＰＳＲモード時、駆動信号は、図１７Ｂに破線で示すように、各ラインブロック走査期間の前半では、駆動電極１１−５、１１−６、・・・、１１−１６、１１−１、・・１１−４、といった順番で、各ラインブロック走査期間の後半では、駆動電極１１−１３、・・・、１１−１６、１１−１、・・１１−１２、といった順番で、各駆動電極１１に印加される。これにより、ＰＳＲモードでは、タッチ検出のための１画面分の走査が、１フレーム期間に２回行われる。これにより、タッチパネルのレポートレートを、ＰＳＲモードと通常モードとで実質的に等しくすることができる。
【０１３９】
なお、図１７Ｂでは、１つのラインブロック走査期間を前半と後半の２つに分けて示している。これは、ＰＳＲモードでは、図１６に示すように、水平走査期間ｔ７が通常モード時の水平走査期間ｔ６の２倍になっており、センサ信号を通常モード時の２倍生成できるため、１つのラインブロック走査期間を前半と後半とに分けて、それぞれ異なる駆動電極１１に駆動信号を印加することができるためである。
【０１４０】
また、ＰＳＲモードでは、１つのラインブロック走査期間の前半に生成されるセンサ信号の数と後半に生成されるセンサ信号の数とは、それぞれが、通常モードの１ラインブロック走査期間に生成されるセンサ信号の数に等しい。したがって、ＰＳＲモードでは、１つのラインブロック走査期間を前半と後半に分け、それぞれで異なる駆動電極１１に駆動信号を印加してタッチ検出のための走査を行っても、１回のレポートレートの精度は、通常モード時と実質的に差は生じない。
【０１４１】
そして、本実施の形態では、タッチパネルのレポートレートを、ＰＳＲモードと通常モードとで実質的に等しくするために、通常モードの２フレームに相当するＰＳＲモードの１フレーム期間に、タッチ検出のための１画面分の走査、すなわち駆動信号を全駆動電極１１に順次印加する動作を、２回行う必要がある。
【０１４２】
ただし、ＰＳＲモードにおいては、駆動電極に電圧を印加することによる画像の乱れの影響を抑制するために、走査信号を印加する順番を示すライン（図１７Ｂに実線で示すライン）と、駆動信号を印加する順番を示すライン（図１７Ｂに破線で示すライン）とが交差しないように、各信号の印加の順番を設定することが望ましい。
【０１４３】
そこで、本実施の形態では、ＰＳＲモード時に、１つのラインブロック走査期間を前半と後半とに分け、それぞれで異なる駆動電極１１に駆動信号を印加する。こうして、図１７Ｂに示すように、ラインブロック走査期間の前半でタッチ検出のための走査を１画面分行い、後半でもタッチ検出のための走査を１画面分行う。これにより、タッチパネルのレポートレートを、ＰＳＲモードと通常モードとで実質的に等しくすることができる。
【０１４４】
なお、図１７Ａ、１７Ｂにおいて、通常モード時の時間が“１６”を示したとき、ＰＳＲモード時の時間は“８”に相当するが、このとき、ＰＳＲモードではタッチ検出のための走査が１画面分なされているので、タッチした座標位置のレポートを出力するタイミングは、ＰＳＲモードと通常モードとで実質的に同じになる。
【０１４５】
なお、図１７Ａ、１７Ｂに示す各信号の印加の順番は一例に過ぎない。ただし、上述したように、実線で示す走査信号を印加する順番と、破線で示す駆動信号を印加する順番とが交差しないように、各信号の印加の順番を設定することが望ましい。
【０１４６】
［５−３．効果等］
以上のように、本実施の形態の入力装置において、タッチコントローラは、実施の形態１と同様に、ＰＳＲモード信号にもとづき表示装置の動作モードを判断するように構成されている。具体的には、ＰＳＲモード信号がＬｏレベルからＨｉレベルに変位したことを検出すると、通常モードからＰＳＲモードに移行したと判断する。また、表示装置の信号制御装置は、実施の形態１と同様に、表示装置の動作モードをタッチコントローラに通知するＰＳＲモード信号を生成するように構成されている。
【０１４７】
そして、タッチコントローラは、ＰＳＲモード信号に基づき、表示装置が第２のモード（ＰＳＲモード）で動作すると判断したときには、１水平走査期間（例えば、第１のタイミング信号の１周期）の間に、表示装置が第１のモード（通常モード）で動作するときの１水平走査期間よりも多くの数の駆動信号を生成するように構成されている。具体的には、本実施の形態の入力装置は、ＰＳＲモードの水平走査期間ｔ７において、通常モード時の水平走査期間ｔ６（所定の水平走査期間）に生成する駆動信号の２倍の数の駆動信号をタッチコントローラが生成する。
【０１４８】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０１４９】
（実施の形態６）
次に、図１８、図１９Ａ、１９Ｂを用いて、駆動方法２−２で表示装置を駆動する場合の動作について説明する。
【０１５０】
図１８、図１９Ａ、１９Ｂに示す本実施の形態の駆動方法は、以下の点を除き、実施の形態２に示した駆動方法２−１と実質的に同じであるので、駆動方法２−２と呼称する。すなわち、駆動方法２−２では、ＰＳＲモード時に、各走査信号間の間隔（Ｈブランク期間）を通常モード時よりも長くする。また、駆動方法２−２では、ＰＳＲモード時に、Ｈブランク期間を延長したことを利用してセンサ信号の生成数を増やすため、Ｖブランク期間にセンサ信号を生成しなくてもよい。
【０１５１】
［６−１．構成］
実施の形態６における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０１５２】
［６−２．動作］
図１８は、実施の形態６における駆動方法２−２のＰＳＲモード時における走査信号と駆動信号のタイミングチャートである。
【０１５３】
なお、図１８には、図１９Ａ、１９Ｂに合わせてラインブロックの総数が１６（Ｎ＝１６）のときの動作例を示す。しかし、ラインブロックの数は何ら１６に限定されるものではない。
【０１５４】
なお、駆動方法２−２の通常モードにおける動作は、実施の形態２に示した駆動方法２−１と実質的に同様であるので、説明を省略する。
【０１５５】
図１８に示すように、駆動方法２−２におけるＰＳＲモードにおいては、各走査信号線１０に印加する走査信号の１周期（走査信号の立ち上がりエッジから次の走査信号の立ち上がりエッジまでの期間）が、通常モードよりも長くなる。図１８には、通常モードでは１フレーム６０Ｈｚで動作し、ＰＳＲモードでは１フレーム３０Ｈｚで動作する例を示す。図１８に示すように、ＰＳＲモード時の走査信号の１周期、すなわちタイミング信号１の１周期の時間を、通常モード時の２倍にすることで、ＰＳＲモードでは１フレームあたりの時間が通常モード時の２倍（例えば、フレームレート３０Ｈｚ）相当になる。
【０１５６】
センサ制御回路１３は、ＰＳＲモード信号に基づき、表示装置の動作モードを判断する。
【０１５７】
図１８に示すように、センサ制御回路１３は、通常モード時には、Ｈブランク期間内にセンサ信号を１回生成し、ＰＳＲモードでは、Ｈブランク期間内に２回センサ信号を生成する。従って、センサ駆動回路２６は、各駆動電極１１に対して、通常モード時には、Ｈブランク期間内に駆動信号を１回印加し、ＰＳＲモードでは、Ｈブランク期間内に２回駆動信号を印加する。
【０１５８】
図１９Ａは、実施の形態６における駆動方法２−２の通常モード時における各走査信号線１０への走査信号の供給と各駆動電極１１への駆動信号の供給との関係をラインブロック単位で示すタイミングチャートである。図１９Ｂは、実施の形態６における駆動方法２−２のＰＳＲモード時における各走査信号線１０への走査信号の供給と各駆動電極１１への駆動信号の供給との関係をラインブロック単位で示すタイミングチャートである。図１９Ａ、１９Ｂには、一例として、ラインブロックの総数が１６（Ｎ＝１６）の場合を示す。しかし、ラインブロックの数は何ら１６に限定されるものではない。図１８、１９Ａ、１９Ｂに示すように、ＰＳＲモード時は通常モード時の１／２倍のスピードで走査信号線１０を走査する。
【０１５９】
図１９Ａ、１９Ｂは、図１７Ａ、１７Ｂと同様の規則で示しているので、説明を省略する。なお、図１９Ａ、１９Ｂに示すタイミングチャートは単なる一例に過ぎず、本実施の形態は、何ら図１９Ａ、１９Ｂに示す関係に限定されるものではない。
【０１６０】
通常モード時、走査信号は、図１９Ａに実線で示すように、ラインブロックの配列順、すなわち、ラインブロック１０−１、１０−２、・・・、１０−１６、といった順番で、各走査信号線１０に印加される。また、駆動信号は、図１９Ａに破線で示すように、駆動電極１１−１、１１−２、・・・、１１−１６、といった順番で、各駆動電極１１に印加される。
【０１６１】
ＰＳＲモード時、走査信号は、図１９Ｂに実線で示すように、ラインブロックの配列順、すなわち、ラインブロック１０−１、１０−２、・・・、１０−１６、といった順番で、各走査信号線１０に印加される。この走査の順番は、図１９Ａに示す通常モード時と同じであるが、図１９Ａと図１９Ｂとの比較からわかるように、通常モードで１画面分の走査が２回行われる期間に、ＰＳＲモードでは１画面分の走査が１回行われる。これは、ＰＳＲモードのフレームレートが通常モードのフレームレートの半分に設定されているためである。
【０１６２】
一方、ＰＳＲモード時、駆動信号は、図１９Ｂに破線で示すように、各ラインブロック走査期間の前半では、駆動電極１１−１、１１−３、・・・、１１−１５といった順番で奇数番目の駆動電極１１に、各ラインブロック走査期間の後半では、駆動電極１１−２、１１−４、・・・、１１−１６、といった順番で偶数番目の駆動電極１１に、印加される。これにより、ＰＳＲモードでは、図１９Ｂに破線で示すように、１フレームの前半と後半でタッチ検出のための１画面分の走査を行うことができる。これは、通常モード時のタッチ検出動作と実質的に同じである。これにより、タッチパネルのレポートレートを、ＰＳＲモードと通常モードとで実質的に等しくすることができる。
【０１６３】
なお、図１９Ｂでは、１つのラインブロック走査期間を前半と後半の２つに分けて示している。これは、図１８に示すように、ＰＳＲモードのＨブランク期間では、通常モードのＨブランク期間に生成されるセンサ信号の２倍の数のセンサ信号を生成できるため、１つのラインブロック走査期間を前半と後半とに分けて、それぞれ異なる駆動電極１１に駆動信号を印加することができるためである。
【０１６４】
また、ＰＳＲモードでは、１つのラインブロック走査期間の前半に生成されるセンサ信号の数と後半に生成されるセンサ信号の数とは、それぞれが、通常モードの１ラインブロック走査期間に生成されるセンサ信号の数に等しい。したがって、ＰＳＲモードでは、１つのラインブロック走査期間を前半と後半に分け、それぞれで異なる駆動電極１１に駆動信号を印加してタッチ検出のための走査を行っても、１回のレポートレートの精度は、通常モード時と実質的に差は生じない。
【０１６５】
なお、図１９Ａ、１９Ｂにおいて、通常モード時の時間が“１６”を示したとき、ＰＳＲモード時の時間は“８”に相当するが、このとき、ＰＳＲモードではタッチ検出のための走査が１画面分なされているので、タッチした座標位置のレポートを出力するタイミングは、ＰＳＲモードと通常モードとで実質的に同じになる。
【０１６６】
なお、図１９Ａ、１９Ｂに示す各信号の印加の順番は一例に過ぎず、本実施の形態は何らこれらの順番に限定されない。
【０１６７】
［６−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０１６８】
そして、タッチコントローラは、ＰＳＲモード信号に基づき表示装置が第２のモード（ＰＳＲモード）で動作すると判断したときには、１水平走査期間（例えば、第１のタイミング信号の１周期）の間に、表示装置が第１のモード（通常モード）で動作するときの１水平走査期間よりも多くの数の駆動信号を生成するように構成されている。
【０１６９】
そして、タッチコントローラは、表示装置が第１のモード（通常モード）および第２のモード（ＰＳＲモード）のいずれで動作するときも、Ｈブランク期間にのみ駆動信号を生成するように構成されている。例えば、センサ制御回路は、ＰＳＲモードのＨブランク期間に、通常モードのＨブランク期間に生成される駆動信号の２倍の数の駆動信号を生成する。
【０１７０】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０１７１】
さらに、本実施の形態の入力装置では、通常モード、ＰＳＲモードともに、Ｈブランク期間にのみ駆動信号を生成してタッチ検出を行うことで、ディスプレイノイズが低減された期間にタッチ検出を行えるので、タッチ検出の感度をより向上することができる。
【０１７２】
（実施の形態７）
次に、図２０を用いて、駆動方法３−２で表示装置を駆動する場合の動作について説明する。
【０１７３】
図２０に示す本実施の形態の駆動方法は、以下の点を除き、実施の形態３に示した駆動方法３−１と実質的に同じであるので、駆動方法３−２と呼称する。すなわち、駆動方法３−２では、ＰＳＲモード時に、各走査信号間のＨブランク期間を通常モード時よりも長くする。また、駆動方法３−２では、ＰＳＲモード時に、Ｈブランク期間を延長したことを利用してセンサ信号を生成するため、Ｖブランク期間に生成されるセンサ信号の数は通常モード時と同等でかまわない。本実施の形態では、ＰＳＲモードのＶブランク期間の長さは通常モードのＶブランク期間と実質的に変わらない。
【０１７４】
［７−１．構成］
実施の形態７における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０１７５】
［７−２．動作］
図２０は、実施の形態７における駆動方法３−２のＰＳＲモード時における走査信号と駆動信号のタイミングチャートである。
【０１７６】
なお、駆動方法３−２の通常モードにおける動作は、実施の形態３に示した駆動方法３−１と実質的に同様であるので、説明を省略する。
【０１７７】
図２０に示すように、駆動方法３−２におけるＰＳＲモードにおいては、各走査信号線１０に印加する走査信号の１周期（走査信号の立ち上がりエッジから次の走査信号の立ち上がりエッジまでの期間）が、通常モードよりも長くなる。図２０には、通常モードでは１フレーム６０Ｈｚで動作し、ＰＳＲモードでは１フレーム３０Ｈｚで動作する例を示す。図２０に示すように、ＰＳＲモード時の走査信号の１周期、すなわちタイミング信号１の１周期の時間を、通常モード時の２倍にすることで、ＰＳＲモードでは１フレームあたりの時間が通常モード時の２倍（例えば、フレームレート３０Ｈｚ）相当になる。
【０１７８】
センサ制御回路１３は、ＰＳＲモード信号に基づき、表示装置の動作モードを判断する。
【０１７９】
センサ制御回路１３は、通常モード時には、図２０に示すように、Ｖブランク期間のみに、駆動信号を駆動電極１１に印加するようセンサ駆動回路２６を制御する。しかし、センサ制御回路１３は、ＰＳＲモード時には、図２０に示すように、Ｖブランク期間だけではなく、Ｈブランク期間にもセンサ駆動回路２６が駆動電極１１に駆動信号を印加するよう、センサ信号を生成する。
【０１８０】
これにより、タッチパネルのレポートレートを、ＰＳＲモードと通常モードとで実質的に等しくすることができる。
【０１８１】
［７−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０１８２】
そして、タッチコントローラは、ＰＳＲモード信号に基づき表示装置が第１のモード（通常モード）で動作すると判断したときはＶブランク期間にのみ駆動信号を生成し、ＰＳＲモード信号に基づき表示装置が第２のモード（ＰＳＲモード）で動作すると判断したときはＨブランク期間およびＶブランク期間に駆動信号を生成するように構成されている。
【０１８３】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０１８４】
さらに、本実施の形態の入力装置では、通常モードではＶブランク期間にのみ、ＰＳＲモードではＨブランク期間とＶブランク期間にのみ駆動信号を生成してタッチ検出を行うことで、ディスプレイノイズが低減された期間にタッチ検出を行えるので、タッチ検出の感度をより向上することができる。
【０１８５】
（実施の形態８）
次に、図２１を用いて、駆動方法４−２で表示装置を駆動する場合の動作について説明する。
【０１８６】
図２１に示す本実施の形態の駆動方法は、以下の点を除き、実施の形態４に示した駆動方法４−１と実質的に同じであるので、駆動方法４−２と呼称する。すなわち、駆動方法４−２では、ＰＳＲモード時に、各走査信号間のＨブランク期間を通常モード時よりも長くする。また、駆動方法４−２では、ＰＳＲモード時に、Ｈブランク期間を延長したことを利用してセンサ信号を生成するため、Ｖブランク期間にセンサ信号を生成しなくてもよい。
【０１８７】
［８−１．構成］
実施の形態８における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０１８８】
［８−２．動作］
図２１は、実施の形態８における駆動方法４−２のＰＳＲモード時における走査信号と駆動信号のタイミングチャートである。
【０１８９】
なお、駆動方法４−２の通常モードにおける動作は、実施の形態４に示した駆動方法４−１と実質的に同様であるので、説明を省略する。
【０１９０】
図２１に示すように、駆動方法４−２におけるＰＳＲモードにおいては、各走査信号線１０に印加する走査信号の１周期（走査信号の立ち上がりエッジから次の走査信号の立ち上がりエッジまでの期間）が、通常モードよりも長くなる。図２１には、通常モードでは１フレーム６０Ｈｚで動作し、ＰＳＲモードでは１フレーム３０Ｈｚで動作する例を示す。図２１に示すように、ＰＳＲモード時の走査信号の１周期、すなわちタイミング信号１の１周期の時間を、通常モード時の２倍にすることで、ＰＳＲモードでは１フレームあたりの時間が通常モード時の２倍（例えば、フレームレート３０Ｈｚ）相当になる。
【０１９１】
センサ制御回路１３は、ＰＳＲモード信号に基づき、表示装置の動作モードを判断する。
【０１９２】
図２１に示すように（または図１４で示したように）、センサ制御回路１３は、通常モード時には、ラインブロック走査期間とラインブロック走査期間との間、および１フレームの最後のラインブロック走査期間の終了直後、に設けられた休止期間ｔ５に、センサ信号を生成し、センサ駆動回路２６を制御する。しかし、図２１に示すように、ＰＳＲモード時には、センサ制御回路１３は、休止期間ｔ５に加えて、Ｈブランク期間内にもセンサ信号を生成する。従って、センサ駆動回路２６は、ＰＳＲモード時には、休止期間ｔ５に加えて、Ｈブランク期間内にも駆動電極１１に駆動信号を印加することができる。
【０１９３】
具体的には、Ｈブランク期間では、駆動電極１１−１、１１−３、・・・、１１−（Ｎ−１）、といった順番で、奇数番目の駆動電極１１に駆動信号が順次印加される。また、休止期間ｔ５では、駆動電極１１−２、１１−４、・・・、１１−Ｎ、といった順番で、偶数番目の駆動電極１１に駆動信号が順次印加される。これにより、１画面の半分の走査信号線１０に走査信号を順次印加する期間に、１画面分の駆動電極１１に駆動信号を順次印加することができる。すなわち、１画面分の走査信号線１０に走査信号を順次印加する期間（ＰＳＲモード時の１フレーム期間）に、１画面分の駆動電極１１に駆動信号を順次印加する動作を２回繰り返すことができる。
【０１９４】
なお、駆動電極１１に駆動信号を印加する順番は何ら上述の順番に限定されるものではない。ＰＳＲモード時の１フレーム期間に、１画面分の駆動電極１１に駆動信号を順次印加する動作を２回繰り返すことができればよい。
【０１９５】
これにより、タッチパネルのレポートレートを、ＰＳＲモードと通常モードとで実質的に等しくすることができる。
【０１９６】
［８−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０１９７】
そして、表示装置は、所定の数の走査信号線に走査信号が印加される毎に休止期間を設けて動作するように構成されている。タッチコントローラは、ＰＳＲモード信号に基づき表示装置が第１のモード（通常モード）で動作すると判断したときは休止期間にのみ駆動信号を生成し、ＰＳＲモード信号に基づき表示装置が第２のモード（ＰＳＲモード）で動作すると判断したときは休止期間およびＨブランク期間に駆動信号を生成するように構成されている。
【０１９８】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０１９９】
さらに、本実施の形態では、通常モードにおいては休止期間にのみ、ＰＳＲモードにおいては休止期間とＨブランク期間にのみ駆動信号を生成してタッチ検出を行うことで、ディスプレイノイズが低減された期間にタッチ検出を行えるので、タッチ検出の感度をより向上することができる。
【０２００】
（実施の形態９）
次に、図２２を用いて、駆動方法１−３で表示装置を駆動する場合の動作について説明する。
【０２０１】
図２２に示す本実施の形態の駆動方法は、以下の点を除き、実施の形態１に示した駆動方法１−１と実質的に同じであるので、駆動方法１−３と呼称する。すなわち、駆動方法１−３では、ＰＳＲモードにおいて、表示装置が走査信号を走査信号線１０に順次印加しない（非順次印加する）駆動（例えば、インターレース駆動）をする。また、駆動方法１−３では、ＰＳＲモード時に、インターレース駆動時に待機状態となる時間を利用してセンサ信号を生成するため、Ｖブランク期間にセンサ信号を生成しなくてもよい。
【０２０２】
なお、インターレース駆動とは、奇数番目の走査信号線１０に対して走査信号を順次印加する動作と偶数番目の走査信号線１０に対して走査信号を順次印加する動作とを交互に繰り返す駆動であるが、上述の「表示装置が走査信号を走査信号線１０に順次印加しない駆動」は、何らインターレース駆動に限定されるものではない。
【０２０３】
［９−１．構成］
実施の形態９における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０２０４】
［９−２．動作］
図２２は、実施の形態９における駆動方法１−３のＰＳＲモード時における走査信号と駆動信号のタイミングチャートである。なお、図２２では、説明を簡略化するために、Ｖブランク期間を省略している。
【０２０５】
なお、駆動方法１−３の通常モードにおける動作は、実施の形態１に示した駆動方法１−１と実質的に同様であるので、説明を省略する。
【０２０６】
図２２に示すように、駆動方法１−３のＰＳＲモードにおけるインターレース駆動では、まず、走査信号線Ｇ１−１から１列飛ばしで、走査信号線Ｇ１−１、Ｇ１−３、Ｇ１−５、…、ＧＮ−（Ｍ−１）、の順に、奇数列の走査信号線１０に順次走査信号を印加する。こうして第１フィールドが終了する。次に、走査信号線Ｇ１−２から１つ飛ばしで、走査信号線Ｇ１−２、Ｇ１−４、Ｇ１−６、…、ＧＮ−Ｍ、の順に、偶数列の走査信号線１０に順次走査信号を印加する。こうして第２フィールドが終了する。インターレース駆動では、第１フィールドと第２フィールドとで１つのフレームとなる。したがって、これらの一連の動作が終わると、表示装置の全画面が更新されたことになる。図２２に示す例では、表示装置は、通常モード時はフレーム周波数６０Ｈｚで動作し、ＰＳＲモード時はフィールド周波数６０Ｈｚで動作する。この場合、ＰＳＲモード時の動作は、１画面の表示更新が１秒間に何回なされるかを表すフレーム周波数に換算すると、３０Ｈｚ相当になる。
【０２０７】
なお、実施の形態９および以降の実施の形態では、奇数列の走査を行う第１フィールドと偶数列の走査を行う第２フィールドによって１フレームを構成するインターレース駆動を例にとって説明する。しかし、これはＰＳＲモード時のインターレース駆動の一例に過ぎず、本実施の形態は何らこの構成に限定されない。例えば、ＰＳＲモード時に次のようなインターレース駆動が表示装置で行われてもよい。まず、走査信号線Ｇ１−１、Ｇ１−４、Ｇ１−７、…の順に走査信号線Ｇ１−１から２列飛ばしで順次走査信号を印加して１フィールドを終了する。次に、走査信号線Ｇ１−２、Ｇ１−５、Ｇ１−８、…と、走査信号線Ｇ１−２から２列飛ばしで順次走査信号を印加して次の１フィールドを終了する。次に、走査信号線Ｇ１−３、Ｇ１−６、Ｇ１−９、…と走査信号線Ｇ１−３から２列飛ばしで順次走査信号を印加して次の１フィールドを終了する。この場合、３つのフィールドで１つのフレームとなる。したがって、これらの一連の動作が終了すると、表示装置の１画面が更新されたことになる。この例の場合、フィールド周波数６０Ｈｚで表示装置が動作すると、ＰＳＲモード時の動作は、フレーム周波数に換算すると２０Ｈｚ相当になる。
【０２０８】
センサ制御回路１３は、ＰＳＲモード信号に基づき、表示装置の動作モードを判断する。
【０２０９】
図２２の場合、走査信号線Ｇ１−１に走査信号が印加された後、図２２に破線で示すように通常モードでは走査信号線Ｇ１−２に走査信号が印加されるときに、タイミング信号１が走査線駆動回路２３に入力されない。そのため、ＰＳＲモードでは、通常モードとは異なり、走査信号線Ｇ１−１に走査信号が印加された直後に走査信号線Ｇ１−２には走査信号が印加されない。従って、通常モードでは走査信号線Ｇ１−２に走査信号を印加する時間は、ＰＳＲモードでは待機状態となる。
【０２１０】
そして、ＰＳＲモードのとき、センサ制御回路１３は、走査信号線Ｇ１−１、Ｇ１−３、Ｇ１−５、・・・、といった奇数列の走査信号線１０に走査信号を印加する期間に加え、図２２に破線で示す待機状態の期間（通常モードで走査信号線Ｇ１−２、Ｇ１−４、Ｇ１−６、・・・、といった偶数列の走査信号線１０に走査信号を印加する期間）にもセンサ信号を生成する。センサ駆動回路２６は、センサ信号に応じて駆動電極１１に駆動信号を印加する。図示はしていないが、次のフィールドでは、同様に、センサ制御回路１３は、走査信号線Ｇ１−２、Ｇ１−４、Ｇ１−６、Ｇ１−８、・・・、といった偶数列の走査信号線１０に走査信号を印加する期間に加え、待機状態の期間（通常モードで走査信号線Ｇ１−１、Ｇ１−３、Ｇ１−５、・・・、といった奇数列の走査信号線１０に走査信号を印加する期間）にもセンサ信号を生成する。センサ駆動回路２６は、センサ信号に応じて駆動電極１１に駆動信号を印加する。
【０２１１】
これにより、ＰＳＲモードでは、１フレームを構成する第１フィールドと第２フィールドのそれぞれで、タッチ検出のための１画面分の走査を行うことができる。これは、通常モード時のタッチ検出動作と実質的に同じである。これにより、タッチパネルのレポートレートを、ＰＳＲモードと通常モードとで実質的に等しくすることができる。
【０２１２】
［９−３．効果等］
以上のように、本実施の形態の入力装置において、タッチコントローラは、実施の形態１と同様に、ＰＳＲモード信号にもとづき表示装置の動作モードを判断するように構成されている。具体的には、ＰＳＲモード信号がＬｏレベルからＨｉレベルに変位したことを検出すると、通常モードからＰＳＲモードに移行したと判断する。また、表示装置の信号制御装置は、実施の形態１と同様に、表示装置の動作モードをタッチコントローラに通知するＰＳＲモード信号を生成するように構成されている。
【０２１３】
そして、表示装置は、第２のモード（ＰＳＲモード）では走査信号を走査信号線１０に順次印加しない（例えば、インターレース駆動で動作する）ように構成されている。タッチコントローラは、ＰＳＲモード信号に基づき表示装置が第２のモード（ＰＳＲモード）で動作すると判断したときには、１水平走査期間（例えば、第１のタイミング信号の１周期）の間に、表示装置が第１のモード（通常モード）で動作するときの１水平走査期間よりも多くの数の駆動信号を生成するように構成されている。具体的には、タッチコントローラは、表示装置でインターレース駆動が行われるときには、走査信号線１０に走査信号が印加される期間に加え、走査信号線１０に走査信号が印加されない待機状態の期間においても、駆動信号を生成する。このように、本実施の形態の入力装置では、表示装置がインターレース駆動されている場合に、インターレース駆動により生まれた時間を利用して、タッチ検出を行う。
【０２１４】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０２１５】
（実施の形態１０）
次に、図２３を用いて、駆動方法２−３で表示装置を駆動する場合の動作について説明する。
【０２１６】
図２３に示す本実施の形態の駆動方法は、以下の点を除き、実施の形態２に示した駆動方法２−１と実質的に同じであるので、駆動方法２−３と呼称する。すなわち、駆動方法２−３では、ＰＳＲモードにおいて、表示装置がインターレース駆動をする。また、駆動方法２−３では、ＰＳＲモード時に、インターレース駆動を行う際に待機状態となる時間を利用してセンサ信号を生成するため、Ｖブランク期間にセンサ信号を生成しなくてもよい。
【０２１７】
［１０−１．構成］
実施の形態１０における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０２１８】
［１０−２．動作］
図２３は、実施の形態１０における駆動方法２−３のＰＳＲモード時における走査信号と駆動信号のタイミングチャートである。
【０２１９】
なお、駆動方法２−３の通常モードにおける動作は、実施の形態２に示した駆動方法２−１と実質的に同様であるので、説明を省略する。
【０２２０】
また、図２３に示すインターレース駆動の動作自体は、実施の形態９に示した、走査信号線１０を奇数列と偶数列に分けてそれぞれ走査するインターレース駆動の動作と実質的に同じであるので、説明を省略する。図２３に示す例では、表示装置は、通常モード時はフレーム周波数６０Ｈｚで動作し、ＰＳＲモード時はフィールド周波数６０Ｈｚで動作する。したがって、ＰＳＲモード時の動作は、フレーム周波数に換算すると、３０Ｈｚ相当になる。
【０２２１】
実施の形態２で説明したように、本駆動方法の通常モードでは、走査信号線１０（例えば、走査信号線Ｇ１−１）に走査信号を印加し終えてから、次の走査信号線１０（例えば、走査信号線Ｇ１−２）に走査信号を印加するまでの間にＨブランク期間を設けている。そして、駆動方法２−３のＰＳＲモードにおけるインターレース駆動でも、通常モードと同様のタイミングでＨブランク期間を設けている。
【０２２２】
ＰＳＲモードでは、図２３に破線で示すように、奇数列の走査信号線１０（例えば、走査信号線Ｇ１−１）に走査信号を印加し終えた後、隣接する偶数列の走査信号線１０（例えば、走査信号線Ｇ１−２）には走査信号を印加せず、実施の形態９と同様の待機状態の期間を設ける。本実施の形態のＰＳＲモードでは、走査信号線１０に走査信号を印加し終えてから、この待機状態までの間にＨブランク期間を設けている。そして、破線で示す待機状態の後から、次の走査信号線１０（例えば、走査信号線Ｇ１−３）に走査信号を印加するまでの間にも、Ｈブランク期間を設けている。そして、センサ制御回路１３は、このＨブランク期間にセンサ信号を生成する。したがって、本実施の形態では、通常モードとＰＳＲモードとで、センサ信号が生成されるタイミングおよびセンサ信号の生成数（通常モードでは１フレーム期間の生成数、ＰＳＲモードでは１フィールド期間の生成数）は、実質的に等しい。
【０２２３】
センサ制御回路１３は、ＰＳＲモード信号に基づき、表示装置の動作モードを判断する。
【０２２４】
センサ制御回路１３は、ＰＳＲモード信号に基づき表示装置が通常モードからＰＳＲモードに移行したと判断すると、走査信号線１０に走査信号を印加し終えてから、図２３に破線で示す待機状態までの間のＨブランク期間にセンサ信号を生成する。センサ駆動回路２６は、センサ制御回路１３より入力されるセンサ信号に応じて、駆動電極１１に駆動信号を印加する。
【０２２５】
これにより、ＰＳＲモードでは、１フレームを構成する第１フィールドと第２フィールドのそれぞれで、通常モード時の１フレーム期間と同様に、タッチ検出のための１画面分の走査を行うことができる。これにより、タッチパネルのレポートレートを、ＰＳＲモードと通常モードとで実質的に等しくすることができる。
【０２２６】
［１０−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０２２７】
そして、表示装置は、第２のモード（ＰＳＲモード）では走査信号を走査信号線１０に順次印加しない（例えば、インターレース駆動で動作する）ように構成されている。タッチコントローラは、ＰＳＲモード信号に基づき表示装置が第２のモード（ＰＳＲモード）で動作すると判断したときには、１水平走査期間（例えば、第１のタイミング信号の１周期）の間に、表示装置が第１のモード（通常モード）で動作するときの１水平走査期間よりも多くの数の駆動信号を生成するように構成されている。
【０２２８】
そして、タッチコントローラは、表示装置が第１のモード（通常モード）および第２のモード（ＰＳＲモード）のいずれで動作するときも、Ｈブランク期間にのみ駆動信号を生成するように構成されている。
【０２２９】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０２３０】
さらに、本実施の形態の入力装置では、通常モード、ＰＳＲモードともに、Ｈブランク期間にのみ駆動信号を生成してタッチ検出を行うことで、ディスプレイノイズが低減された期間にタッチ検出を行えるので、タッチ検出の感度をより向上することができる。
【０２３１】
（実施の形態１１）
次に、図２４を用いて、駆動方法３−３で表示装置を駆動する場合の動作について説明する。
【０２３２】
図２４に示す本実施の形態の駆動方法は、以下の点を除き、実施の形態３に示した駆動方法３−１と実質的に同じであるので、駆動方法３−３と呼称する。すなわち、駆動方法３−３では、ＰＳＲモードにおいて、表示装置がインターレース駆動をする。また、駆動方法３−３では、ＰＳＲモード時に、各フィールドの最後にＶブランク期間を設けており、ＰＳＲモードのＶブランク期間の長さは通常モードのＶブランク期間と実質的に変わらない。そのため、ＰＳＲモードの各Ｖブランク期間に生成されるセンサ信号の数は、通常モードのＶブランク期間に生成されるセンサ信号の数と同等でかまわない。
【０２３３】
［１１−１．構成］
実施の形態１１における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０２３４】
［１１−２．動作］
図２４は、実施の形態１１における駆動方法３−３のＰＳＲモード時における走査信号と駆動信号のタイミングチャートである。
【０２３５】
なお、駆動方法３−３の通常モードにおける動作は、実施の形態３に示した駆動方法３−１と実質的に同様であるので、説明を省略する。
【０２３６】
また、図２４に示すインターレース駆動の動作自体は、実施の形態９に示した、奇数列の走査信号線１０に走査信号を印加する第１フィールドの後、偶数列の走査信号線１０に走査信号を印加する第２フィールドを発生するインターレース駆動の動作と実質的に同じであるので、説明を省略する。図２４に示す例では、表示装置は、通常モード時はフレーム周波数６０Ｈｚで動作し、ＰＳＲモード時はフィールド周波数６０Ｈｚで動作する。したがって、ＰＳＲモード時の動作は、フレーム周波数に換算すると、３０Ｈｚ相当になる。
【０２３７】
本実施の形態では、通常モードでは、１フレームの最後の走査信号（例えば、走査信号線ＧＮ−Ｍに印加する走査信号）の生成後にＶブランク期間が存在するが、ＰＳＲモードでは、奇数列の走査信号線１０を走査する第１フィールドの最後の走査信号（例えば、走査信号線ＧＮ−（Ｍ−１）に印加する走査信号）の生成後と、偶数列の走査信号線１０を走査する第２フィールドの最後の走査信号（例えば、走査信号線ＧＮ−Ｍ）に印加する走査信号）の生成後にＶブランク期間を設ける。
【０２３８】
センサ制御回路１３は、ＰＳＲモード信号に基づき、表示装置の動作モードを判断する。
【０２３９】
そして、センサ制御回路１３は、各Ｖブランク期間にセンサ信号を生成する。ＰＳＲモード時には、センサ制御回路１３は、奇数列の走査信号線１０を走査する第１フィールドの最後の走査信号の生成後のＶブランク期間と、偶数列の走査信号線１０を走査する第２フィールドの最後の走査信号の生成後のＶブランク期間のそれぞれでセンサ信号を生成する。センサ駆動回路２６は、センサ制御回路１３より入力されるセンサ信号に応じて、各Ｖブランク期間に駆動電極１１に駆動信号を印加する。
【０２４０】
上述したように、通常モードのフレーム周波数とＰＳＲモードのフィールド周波数は実質的に等しい。したがって、本実施の形態では、通常モードとＰＳＲモードとで、センサ信号が生成されるタイミングおよびセンサ信号の生成数（通常モードでは各フレームのＶブランク期間における生成数、ＰＳＲモードでは各フィールドのＶブランク期間における生成数）は、実質的に等しい。
【０２４１】
これにより、ＰＳＲモードでは、１フレームを構成する第１フィールドと第２フィールドのそれぞれで、通常モード時の１フレーム期間と同様に、タッチ検出のための１画面分の走査を行うことができる。これにより、タッチパネルのレポートレートを、ＰＳＲモードと通常モードとで実質的に等しくすることができる。
【０２４２】
［１１−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０２４３】
そして、表示装置は、第２のモード（ＰＳＲモード）では、走査信号を走査信号線１０に順次印加しないように（例えば、インターレース駆動で）動作し、１フレームに発生するＶブランク期間の数が、第１のモード（通常モード）で動作するときより多くなるように構成されている。タッチコントローラは、表示装置が第１のモード（通常モード）および第２のモード（ＰＳＲモード）のいずれで動作するときも、Ｖブランク期間にのみ駆動信号を生成するように構成されている。
【０２４４】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０２４５】
さらに、本実施の形態の入力装置では、通常モード、ＰＳＲモードともに、Ｖブランク期間にのみ駆動信号を生成してタッチ検出を行うことで、ディスプレイノイズが低減された期間にタッチ検出を行えるので、タッチ検出の感度をより向上することができる。
【０２４６】
（実施の形態１２）
次に、図２５を用いて、駆動方法４−３で表示装置を駆動する場合の動作について説明する。
【０２４７】
図２５に示す本実施の形態の駆動方法は、以下の点を除き、実施の形態４に示した駆動方法４−１と実質的に同じであるので、駆動方法４−３と呼称する。すなわち、駆動方法４−３では、ＰＳＲモードにおいて、表示装置がインターレース駆動をする。また、駆動方法４−３では、ＰＳＲモード時の１フィールド期間に発生する休止期間の数を、通常モード時の１フレーム期間に発生する休止期間の数と実質的に同等にする。したがって、ＰＳＲモードのＶブランク期間にセンサ信号を生成しなくてもよい。
【０２４８】
［１２−１．構成］
実施の形態１２における表示装置は、実施の形態１に示した表示装置１００と実質的に同じ構成であるので、説明を省略する。また、タッチコントローラで行われる表示装置の動作モードの判断も、実施の形態１と同様にＰＳＲモード信号に基づき行われる構成であるので、説明を省略する。
【０２４９】
［１２−２．動作］
図２５は、実施の形態１２における駆動方法４−３のＰＳＲモード時における走査信号と駆動信号のタイミングチャートである。
【０２５０】
なお、駆動方法４−３の通常モードにおける動作は、実施の形態４に示した駆動方法４−１と実質的に同様であるので、説明を省略する。
【０２５１】
また、図２５に示すインターレース駆動の動作自体は、実施の形態９に示した、奇数列の走査信号線１０に走査信号を印加する第１フィールドと、偶数列の走査信号線１０に走査信号を印加する第２フィールドとで１フレームを構成するインターレース駆動の動作と実質的に同じであるので、説明を省略する。図２５に示す例では、表示装置は、通常モード時はフレーム周波数６０Ｈｚで動作し、ＰＳＲモード時はフィールド周波数６０Ｈｚで動作する。したがって、ＰＳＲモード時の動作は、フレーム周波数に換算すると、３０Ｈｚ相当になる。
【０２５２】
駆動方法４−３のＰＳＲモードでは、所定の数の走査信号線１０に走査信号を印加する毎に休止期間を設ける。図２５に示す例では、所定の数は、１ラインブロックを構成する走査信号線１０の数の１／２（例えば、Ｍ／２本）である。具体的には、例えば奇数列の走査信号線１０に走査信号を印加する第１フィールドでは、まず、ラインブロック１０−１を構成する走査信号線１０のうちの奇数列の走査信号線Ｇ１−１、Ｇ１−３、・・・、Ｇ１−（Ｍ−１）、に順次走査信号を印加した後に休止期間を設け、次に、ラインブロック１０−２を構成する走査信号線１０のうちの奇数列の走査信号線Ｇ２−１、Ｇ２−３、・・・、Ｇ２−（Ｍ−１）、に順次走査信号を印加した後に休止期間を設け、というように、各ラインブロック走査期間が終了した直後に、それぞれ休止期間を設ける。図示していないが、偶数列の走査信号線１０に走査信号を印加する第２フィールドでは、まず、ラインブロック１０−１を構成する走査信号線１０のうちの偶数列の走査信号線Ｇ１−２、Ｇ１−４、・・・、Ｇ１−Ｍ、に順次走査信号を印加した後に休止期間を設け、次に、ラインブロック１０−２を構成する走査信号線１０のうちの偶数列の走査信号線Ｇ２−２、Ｇ２−４、・・・、Ｇ２−Ｍ、に順次走査信号を印加した後に休止期間を設け、というように、各ラインブロック走査期間が終了した直後に、それぞれ休止期間を設ける。そして、休止期間の後に、次のラインブロック走査期間を開始する。
【０２５３】
これにより、駆動方法４−３では、ＰＳＲモードの各フィールドで発生する休止期間の数を、通常モードの各フレームにおいて発生する休止期間の数に等しくすることができる。
【０２５４】
また、駆動方法４−３では、ＰＳＲモードにおける所定の数（例えば、Ｍ／２本）は、通常モードにおける所定の数（例えば、Ｍ本）の半分になる。そのため、ＰＳＲモードのラインブロック走査期間の長さは、通常モードのラインブロック走査期間の長さの実質的に半分となり、これによりＰＳＲモードの休止期間の長さを、通常モードの休止期間と同等以上に設定できる。駆動方法４−３では、センサ制御回路１３は、休止期間にセンサ信号を生成する。したがって、センサ制御回路１３は、ＰＳＲモードの休止期間に発生するセンサ信号の数を、通常モードの休止期間に発生するセンサ信号の数と同等以上にできる。そのため、駆動方法４−３では、ＰＳＲモードにおいて、Ｖブランク期間にセンサ信号を生成せずとも、タッチパネルのレポートレートおよびタッチ検出の感度を通常モード時と同等に保つことができる。なお、通常モードにおける所定の数については、実施の形態４で説明しているので、説明を省略する。
【０２５５】
このように、駆動方法４−３では、ＰＳＲモードにおいて、奇数列の走査信号線１０を走査する第１フィールド、偶数列の走査信号線１０を走査する第２フィールド、のそれぞれに対して、ラインブロック走査期間毎に休止期間を設ける。
【０２５６】
センサ制御回路１３は、ＰＳＲモード信号に基づき、表示装置の動作モードを判断する。
【０２５７】
そして、駆動方法４−３では、センサ制御回路１３は、通常モード時、ＰＳＲモード時、ともに、ラインブロック走査期間毎に設けられた休止期間にセンサ信号を生成する。図２５に示す例では、ラインブロック走査期間毎に休止期間を設けることで、ＰＳＲモード時の１フィールドに発生する休止期間の数は、通常モードの１フレームに発生する休止期間の数に等しい。また、ＰＳＲモード時は、奇数列の走査信号線１０を走査する第１フィールドと偶数列の走査信号線１０を走査する第２フィールドとで１フレームとなるので、フレームに換算して比較するとＰＳＲモード時に発生する休止期間の数は通常モードの２倍になる。
【０２５８】
上述したように、通常モードのフレーム周波数とＰＳＲモードのフィールド周波数は実質的に等しい。したがって、本実施の形態では、通常モードとＰＳＲモードとで、センサ信号が生成されるタイミングおよびセンサ信号の生成数は、実質的に等しい。
【０２５９】
これにより、ＰＳＲモードでは、１フレームを構成する第１フィールドと第２フィールドのそれぞれで、通常モード時の１フレーム期間と同様に、タッチ検出のための１画面分の走査を行うことができる。これにより、タッチパネルのレポートレートを、ＰＳＲモードと通常モードとで実質的に等しくすることができる。
【０２６０】
なお、ＰＳＲモード時の１フレームに発生する休止期間の回数を、通常モード時と同程度に設定してもよい。その場合には、休止期間の回数が減少した分だけＶブランク期間を長くし、Ｖブランク期間にセンサ信号を生成して駆動信号を駆動電極１１に印加すればよい。
【０２６１】
［１２−３．効果等］
以上のように、本実施の形態の入力装置において、タッチコントローラは、実施の形態１と同様に、ＰＳＲモード信号にもとづき表示装置の動作モードを判断するように構成されている。また、表示装置の信号制御装置は、実施の形態１と同様に、表示装置の動作モードをタッチコントローラに通知するＰＳＲモード信号を生成するように構成されている。
【０２６２】
そして、表示装置は、第２のモード（ＰＳＲモード）では走査信号を走査信号線１０に順次印加しないように（例えば、インターレース駆動で）動作し、第１のモード（通常モード）と第２のモード（ＰＳＲモード）ともに所定の数の走査信号線１０に走査信号が印加される毎に休止期間を設けて動作し、第２のモード（ＰＳＲモード）で動作するときは、第１のモード（通常モード）で動作するときよりも、１フレーム期間に発生する休止期間の数が多くなるように構成されている。タッチコントローラは、表示装置が第１のモード（通常モード）および第２のモード（ＰＳＲモード）のいずれで動作するときも、休止期間にのみ駆動信号を生成するように構成されている。
【０２６３】
これにより、表示装置が通常モードからＰＳＲモードに移行し、通常モードより低フレームレートで動作している場合においても、タッチパネルのレポートレートを通常モード時と実質的に同等に維持し、タッチ操作時の検出精度の低下を防ぐことができる。
【０２６４】
さらに、本実施の形態の入力装置では、通常モード、ＰＳＲモードともに、休止期間にのみ駆動信号を生成してタッチ検出を行うことで、ディスプレイノイズが低減された期間にタッチ検出を行えるので、タッチ検出の感度をより向上することができる。
【０２６５】
（実施の形態１３）
次に、図２６、図２７を用いて実施の形態１３を説明する。
【０２６６】
実施の形態１〜１２では、表示装置１００の信号制御装置２８がＰＳＲモード信号を出力し、そのＰＳＲモード信号に基づき、タッチコントローラ１４のセンサ制御回路１３が表示装置１００の動作モードを判断する構成を説明した。そして、その判断結果および信号制御装置２８から出力されるタイミング信号１、２に基づき、センサ制御回路１３がセンサ信号を生成し、そのセンサ信号に基づきセンサ駆動回路２６が駆動電極１１に駆動信号を印加する構成を説明した。
【０２６７】
しかし、本開示は何らこの構成に限定されない。例えば、センサ制御回路１３で生成されるセンサ信号に相当する信号を表示装置の信号制御装置が生成してもよい。本実施の形態では、この構成例を説明する。
【０２６８】
［１３−１．構成］
図２６は、実施の形態１３におけるタッチセンサ機能を備えた表示装置２００の全体構成を示すブロック図である。
【０２６９】
図２６に示すように、表示装置２００は、液晶パネル２１、バックライトユニット２２、走査線駆動回路２３、映像線駆動回路２４、バックライト駆動回路２５、信号制御装置１２８、タッチコントローラ１１４を備えている。また、タッチコントローラ１１４は、センサ制御回路１１３、センサ駆動回路２６、信号検出回路２７を備えている。本実施の形態において、入力装置は、実施の形態１〜１２と同様に、駆動電極１１と、検知電極１２と、タッチコントローラ１１４と、を備えて構成され、この入力装置における基本的な動作も、実施の形態１〜１２で説明した入力装置と実質的に同じである。
【０２７０】
なお、本実施の形態では、図１で説明した各回路ブロックと実質的に同じ動作をする回路ブロックにはその回路ブロックと同じ符号を付与し、説明を省略する。
【０２７１】
本実施の形態における表示装置２００は、実施の形態１〜１２で説明した表示装置１００と実質的に同じ動作をするが、信号制御装置１２８、タッチコントローラ１１４（センサ制御回路１１３）の動作に、実施の形態１〜１２で説明した信号制御装置２８、タッチコントローラ１４（センサ制御回路１３）の動作と異なる点がある。以下、その動作について説明する。
【０２７２】
実施の形態１〜１２では、信号制御装置２８は、表示装置１００の動作モードをセンサ制御回路１３に通知するため、ＰＳＲモード信号を生成した。そして、センサ制御回路１３は、表示装置１００の動作モードに応じてセンサ信号を生成した。
【０２７３】
本実施の形態の表示装置２００は、実施の形態１〜１２で説明したセンサ信号に相当する信号を第３のタイミング信号（以下、「タイミング信号３」と記す）として信号制御装置１２８が生成するように構成されている。したがって、センサ制御回路１１３はセンサ信号を生成しなくてもよい。そのため、信号制御装置１２８は、表示装置２００の動作モードをセンサ制御回路１１３に通知しなくてもよいので、ＰＳＲモード信号を出力しない。
【０２７４】
なお、実施の形態１〜１２で説明したタイミング信号１、２は、信号制御装置２８と同様に信号制御装置１２８で生成され、各回路に供給される。
【０２７５】
タイミング信号３は、タイミング信号１、２とともに信号制御装置１２８からセンサ制御回路１１３に入力される。タイミング信号３は、センサ制御回路１１３を通してセンサ駆動回路２６に入力され、センサ駆動回路２６は、タイミング信号３に基づき駆動電極１１に駆動信号を印加する。
【０２７６】
タイミング信号３は、実施の形態１〜１２で説明したセンサ信号と実質的に同じ信号であるので、説明を省略する。また、このタイミング信号３が入力されるタッチコントローラ１１４のセンサ駆動回路２６は、実施の形態１〜１２で説明したセンサ駆動回路２６と実質的に同じ動作をするので、説明を省略する。
【０２７７】
［１３−２．動作］
次に、本実施の形態における表示装置２００の動作の一例を、図２７を用いて説明する。
【０２７８】
表示装置２００は、実施の形態１〜１２で説明した表示装置１００の各動作と実質的に同じ動作をする。ここでは、一例として、実施の形態１で説明した駆動方法１−１のＰＳＲモード時の動作を表示装置２００が行うときのタイミングチャートを示す。
【０２７９】
図２７は、実施の形態１３における駆動方法１−１のＰＳＲモード時におけるタイミングチャートである。
【０２８０】
図２７に示すタイミングチャートは、図９に示した駆動方法１−１のＰＳＲモード時のタイミングチャートと実質的に同じであるので、繰り返しの説明を省略する。ただし、本実施の形態では、センサ制御回路１１３がセンサ信号を生成するのではなく、センサ信号と実質的に同じ信号であるタイミング信号３が信号制御装置１２８で生成されてセンサ駆動回路２６に入力される点が、図９に示したタイミングチャートと異なる。
【０２８１】
［１３−３．効果等］
以上のように、本実施の形態の表示装置２００は、実施の形態１〜１２で説明したセンサ信号に相当するタイミング信号３を信号制御装置１２８が生成する。
【０２８２】
表示装置２００をこのように構成しても、実施の形態１〜１２に説明したタッチ検出と実質的に同じ検出精度でタッチ検出を行うことが可能であり、実施の形態１〜１２に説明した効果と実施的に同じ効果を得ることができる。
【０２８３】
なお、通常モード時に、タイミング信号３をタイミング信号１と同じ信号にして出力するように信号制御装置１２８を構成してもよい。また、ＰＳＲモード時に、タイミング信号１が出力されない期間が所定の期間を超えたときにタイミング信号３を出力するように、信号制御装置１２８を構成してもよい。
【０２８４】
（他の実施の形態）
以上のように、本出願において開示する技術の例示として、実施の形態１〜１３を説明した。しかしながら、本開示における技術は、これに限定されず、変更、置き換え、付加、省略等を行った実施の形態にも適用できる。また、上記実施の形態１〜１３で説明した各構成要素を組み合わせて、新たな実施の形態とすることも可能である。
【０２８５】
そこで、以下、他の実施の形態を例示する。
【０２８６】
本開示に示した実施の形態１〜４においては、最後の走査信号（例えば、走査信号線ＧＮ−Ｍに印加する走査信号）が走査線駆動回路２３から出力されてから次のフレームが開始するまでのＶブランク期間の間は、信号制御装置２８からタイミング信号１が出力されないとした。しかし、信号制御装置２８は、所定のタイミングでタイミング信号１を出し続けてもよい。また、最後の走査信号が出力された後は、所定のタイミングが変化してもよい。この場合、センサ制御回路１３は、タイミング信号１の数をカウントしておくことで、最後の走査信号がどれかを認識することができる。また、センサ制御回路１３は、タイミング信号２が入力されると、カウントをリセットすればよい。
【０２８７】
上記のような場合でも、実施の形態１〜４では、ＰＳＲモード信号に基づきＰＳＲモードに移行したとセンサ制御回路１３で判断されたときは、タッチコントローラ１４は、上述したように、Ｖブランク期間に駆動信号を生成するので、タッチパネルはＶブランク期間も継続してタッチ検出を行うことができる。そのため、タッチパネルのレポートレートは、ＰＳＲモードのときも、通常モードと同様のレベルに維持され、ＰＳＲモード時にタッチ検出の時間的な分解能が低下することは防止される。
【０２８８】
なお、実施の形態１〜１３では、通常モードである第１のモードとＰＳＲモードである第２のモードとのいずれかで表示装置が駆動される例を説明したが、表示装置はそれら以外のモードで駆動されてもよい。
【０２８９】
なお、実施の形態１〜１３では、１つの検知電極１２に対して１つの検出回路を設けて信号検出回路２７を構成する例を説明したが、例えば、複数の検知電極１２群に１つの検出回路を設けて信号検出回路２７を構成してもよい。このときは、駆動電極１１に印加される複数回のパルス電圧に関して、複数の検知電極１２で検出信号Ｒｘｖの監視を時分割で行い、検出信号Ｒｘｖを検出するように構成してもよい。
【０２９０】
なお、駆動電極１１に一度に連続して印加されるパルス数は１つ、又は２つに限定されるものではなく、３以上の複数個でも構わない。
【０２９１】
なお、図１４、図１５、図１８、図２０、図２１、図２４、図２５、等の図面に、パルス幅が比較的狭いセンサ信号および駆動信号を示したが、これは図面のスペースの関係でこのような記載をしているに過ぎない。各パルス幅は表示装置やパネルの仕様等に応じて適切に設定することが望ましい。
【０２９２】
なお、上述の実施の形態に示した数値、例えば、フレーム周波数等の数値は、単なる一例に過ぎず、本開示は何らこれらの数値に限定されるものではない。
【産業上の利用可能性】
【０２９３】
本開示は、ＰＳＲ方式駆動を行う表示装置に備えられる入力装置において適用可能である。具体的には、タッチパネルを備えた液晶テレビや液晶ディスプレイ、ディスプレイ一体型のコンピュータや入力端末、タブレット端末、スマートフォン、タッチパネルを備えた各種家電製品、等に本開示は適用可能であり、タッチパネルと表示装置とが一体となった各種電気機器に本開示は適用可能である。
【符号の説明】
【０２９４】
１０    走査信号線
１０−１、１０−２、・・・、１０−Ｎ    ラインブロック
１１    駆動電極
１２    検知電極
１３，１１３    センサ制御回路
１４，１１４    タッチコントローラ
２１    液晶パネル
２２    バックライトユニット
２３    走査線駆動回路
２４    映像線駆動回路
２５    バックライト駆動回路
２６    センサ駆動回路
２７    信号検出回路
２８，１２８    信号制御装置
２９    映像信号線
１００，２００    表示装置
【図１】
2015111400.tif 000003
【図２】
2015111400.tif 000004
【図３Ａ】
2015111400.tif 000005
【図３Ｂ】
2015111400.tif 000006
【図３Ｃ】
2015111400.tif 000007
【図３Ｄ】
2015111400.tif 000008
【図４】
2015111400.tif 000009
【図５】
2015111400.tif 000010
【図６】
2015111400.tif 000011
【図７】
2015111400.tif 000012
【図８】
2015111400.tif 000013
【図９】
2015111400.tif 000014
【図１０】
2015111400.tif 000015
【図１１】
2015111400.tif 000016
【図１２】
2015111400.tif 000017
【図１３】
2015111400.tif 000018
【図１４】
2015111400.tif 000019
【図１５】
2015111400.tif 000020
【図１６】
2015111400.tif 000021
【図１７Ａ】
2015111400.tif 000022
【図１７Ｂ】
2015111400.tif 000023
【図１８】
2015111400.tif 000024
【図１９Ａ】
2015111400.tif 000025
【図１９Ｂ】
2015111400.tif 000026
【図２０】
2015111400.tif 000027
【図２１】
2015111400.tif 000028
【図２２】
2015111400.tif 000029
【図２３】
2015111400.tif 000030
【図２４】
2015111400.tif 000031
【図２５】
2015111400.tif 000032
【図２６】
2015111400.tif 000033
【図２７】
2015111400.tif 000034